(57)【要約】【課題】ネットワークを介して、通信可能に接続される依頼ユーザ端末及び実行ユーザ端末間で体験を共有する体験共有システム及び体験共有方法を提供する。【解決手段】ネットワークを介して、通信可能に接続される依頼ユーザ端末２及び実行ユーザ端末３間で体験を共有する体験共有システム１であって、依頼ユーザ端末２から体験の依頼に関する依頼情報と、実行ユーザ端末３から体験の実行に関する実行情報を各々に受け付ける受付手段と、受付手段により受け付けられた依頼情報及び実行情報に基づいて、依頼ユーザ端末２及び実行ユーザ端末３間で共有する体験を決定する体験共有決定手段と、体験共有手段により決定された体験で共有するための音声又は画像を含む共有情報が実行ユーザ端末により得られた場合には、これを取得する情報取得手段と、情報取得手段により取得した共有情報を依頼ユーザ端末２に配信する配信手段とを備える。【選択図】図１
2020198474.tif 000002
【特許請求の範囲】
【請求項１】
ネットワークを介して、通信可能に接続される依頼ユーザ端末及び実行ユーザ端末の間で体験を共有する体験共有システムであって、
前記依頼ユーザ端末から前記体験の依頼に関する依頼情報と、前記実行ユーザ端末から前記体験の実行に関する実行情報を各々受け付ける受付手段と、
前記受付手段により受け付けられた前記依頼情報及び前記実行情報に基づいて、前記依頼ユーザ端末及び前記実行ユーザ端末間で共有する体験を決定する体験共有決定手段と、
前記体験共有決定手段により決定された前記体験で共有するための音声又は画像を含む共有情報が前記実行ユーザ端末により得られた場合には、これを取得する情報取得手段と、
前記情報取得手段により取得した前記共有情報を前記依頼ユーザ端末に配信する配信手段と、
を備えることを特徴とする体験共有システム。
【請求項２】
前記情報取得手段は、
前記共有情報に含まれる音声又は画像の状態に関する状態情報を取得し、
前記配信手段は、
前記情報取得手段により取得された前記状態情報に基づいて前記共有情報の音声又は画像を調整して前記依頼ユーザ端末に配信すること、
を特徴とする請求項１記載の体験共有システム。
【請求項３】
前記配信手段は、
前記実行ユーザ端末により前記共有情報が得られた位置の状況に関する状況情報を前記依頼ユーザ端末又は前記実行ユーザ端末に配信すること、
を特徴とする請求項１又は２記載の体験共有システム。
【請求項４】
前記配信手段は、
前記情報取得手段により取得された前記共有情報の内容に関連する識別情報を前記依頼ユーザ端末又は前記実行ユーザ端末に配信すること、
を特徴とする請求項１〜３のうち何れか１項記載の体験共有システム。
【請求項５】
前記受付手段は、
前記依頼ユーザ端末又は前記実行ユーザ端末で使用される言語情報を取得し、
前記配信手段は、
前記受付手段により取得された前記言語情報に基づき前記共有情報を翻訳する翻訳部を有し、
前記翻訳部により翻訳された共有情報を前記依頼ユーザ端末に配信すること、
を特徴とする請求項１〜４のうち何れか１項記載の体験共有システム。
【請求項６】
前記依頼ユーザ端末から共有情報の取得を行う上での各種指示が含まれる指示情報を前記実行ユーザ端末に送信する指示情報送信手段を更に備え、
前記情報取得手段は、
前記依頼ユーザ端末の前記指示情報に基づき前記実行ユーザ端末から共有情報を取得すること、
を特徴とする請求項１記載の共有体験システム。
【請求項７】
前記指示情報送信手段は、共有情報の取得を行う上で前記依頼ユーザ端末が直接遠隔操作を行うための各種指示が含まれる指示情報を前記実行ユーザ端末に送信し、
前記実行ユーザ端末は、前記指示情報送信手段により送信されてきた指示情報に含まれる指示に基づいて共有情報を得るための操作を制御する操作制御部を有すること
を特徴とする請求項６記載の共有体験システム。
【請求項８】
前記指示情報送信手段は、前記実行ユーザ端末により前記共有情報を得るための時間帯に関する指示が含まれる指示情報を前記実行ユーザ端末に送信し、
前記実行ユーザ端末は、前記指示情報送信手段により送信されてきた指示情報に含まれる時間帯に関する指示に基づいて共有情報を得るための時間帯を制御する時間帯制御部を有すること
を特徴とする請求項６記載の共有体験システム。
【請求項９】
前記指示情報送信手段は、前記実行ユーザ端末により前記共有情報を得るための位置に関する指示が含まれる指示情報を前記実行ユーザ端末に送信し、
前記実行ユーザ端末は、前記指示情報送信手段により送信されてきた指示情報に含まれる位置に関する指示に基づいて共有情報を得るための撮影条件を制御する撮影条件制御部を有すること
を特徴とする請求項６記載の共有体験システム。
【請求項１０】
前記体験共有決定手段は、前記体験を共有する位置及び時間に関する条件が記述された依頼情報と、前記体験の実行が可能な位置及び時間が記述された前記実行情報とが前記受付手段により受け付けた場合には、これらに基づいて前記依頼ユーザ端末と前記実行ユーザ端末とのマッチングを行った上で共有する体験を決定すること
を特徴とする請求項１〜９のうち何れか１項記載の共有体験システム。
【請求項１１】
前記指示情報送信手段は、前記実行ユーザ端末により前記共有情報を得るための時間帯に関する指示、又は前記共有情報を得るための位置に関する指示が含まれる指示情報を前記実行ユーザ端末に送信し、前記指示情報を送信した前記実行ユーザ端末が、前記指示情報に含まれる時間帯又は位置に関する指示に基づく共有情報の取得ができない旨を判断した場合には、当該指示にも基づく共有情報の取得が可能な他の実行ユーザ端末を探索した上でこれに対して前記指示情報を送信すること
を特徴とする請求項６記載の共有体験システム。
【請求項１２】
前記情報取得手段により取得された画像を含む共有情報から人物画像、商品画像又は構造物画像を判別する判別手段と、
前記判別手段により判別された人物画像、商品画像又は構造物画像をマスキングするか、又は当該画像の領域に代替画像を貼り付ける画像処理手段とを更に備えること
を特徴とする前記請求項１〜１１のうち何れか１項記載の体験共有システム。
【請求項１３】
前記受付手段は、前記依頼に対して支払うべき報酬を含む条件が記述された依頼情報と、前記体験の実行に対して希望する報酬が記述された前記実行情報を受け付け、
前記体験共有決定手段は、前記受付手段により受け付けられた前記依頼情報及び前記実行情報のそれぞれに記述された報酬に基づいて、共有する体験を決定し、
前記情報取得手段は、前記体験共有決定手段により体験が決定され、前記報酬の支払の決済が行われた後に、前記共有情報を取得すること
を特徴とする請求項１〜１２のうち何れか１項記載の体験共有システム。
【請求項１４】
ネットワークを介して、通信可能に接続される依頼ユーザ端末及び実行ユーザ端末の間で体験を共有する体験共有方法であって、
前記依頼ユーザ端末から前記体験の依頼に関する依頼情報と、前記実行ユーザ端末から前記体験の実行に関する実行情報を各々受け付ける受付ステップと、
前記受付ステップにおいて受け付けた前記依頼情報及び前記実行情報に基づいて、前記依頼ユーザ端末及び前記実行ユーザ端末間で共有する体験を決定する体験共有決定ステップと、
前記体験共有決定ステップにより決定した前記体験で共有するための音声又は画像を含む共有情報が前記実行ユーザ端末により得られた場合には、これを取得する情報取得ステップと、
前記情報取得ステップにより取得した前記共有情報を前記依頼ユーザ端末に配信する配信ステップと、
を有することを特徴とする体験共有方法。
【発明の詳細な説明】
【技術分野】
【０００１】
本発明は、ネットワークを介して、通信可能に接続される依頼ユーザ端末及び実行ユーザ端末間で体験を共有する体験共有システム及び体験共有方法に関する。
【背景技術】
【０００２】
従来、ネットワークを介して、通信可能に接続される複数の端末間で画像、遠隔で映像又はサ−ビス等を共有する技術として、例えば特許文献１の遠隔墓参りシステムや、特許文献２のデジタルデータの仲介方法等が提案されている。
【０００３】
特許文献１の開示技術は、遠隔地からの墓参りに着目し、その代行サービスを提供することで、実際に墓まで行くことなく体験を共有するものである。具体的には、墓参り代行サービスの選択メニューを、インターネットを介してユーザに提供し、選択メニューにより選択された墓参り代行サービスについて受注を受ける。そして、墓参り代行サービス実行後のリアルな映像をユーザのコンピュータに提供する。その結果、遠隔地から墓参りを行うに際し、ユーザは実際に墓まで行く必要が全くなく、ネットワークを介して実際の墓参りの代行を依頼することができる。また、墓参り代行サービス提供者による墓参り代行サービスの実行がなされた後のリアルな映像が提供されるので、ユーザはその後すぐに墓参り代行が完了したことを確認することができる。
【０００４】
特許文献２には、デジタルデータを仲介する仲介方法に関する技術が開示されている。この特許文献２の開示技術では、撮影者は端末からサービス事業者のサーバにアクセスして撮影受付情報を登録する。撮影依頼者はホーム端末からサービス事業者のサーバにアクセスして撮影依頼情報を登録する。撮影依頼者はホーム端末を操作し、登録された撮影者による撮影受付情報に基づいて、自分が希望する被写体を撮影する撮影者を選ぶ。選ばれた撮影者は撮影を行い、撮影した映像はサーバに登録される。撮影依頼者はサービス事業者のサーバから映像を受け取る。これにより、知人でも友人でもない第三者に作成依頼を行ったり、第三者から作成依頼を受けたりするサービスを構築することができる。
【先行技術文献】
【特許文献】
【０００５】
【特許文献１】特開２００５−２８４６７６号公報
【特許文献２】特許第４２９７１９３号公報
【発明の概要】
【発明が解決しようとする課題】
【０００６】
しかしながら、上述した特許文献１に記載のシステムは、現地に行かなくても墓参り代行サービス実行後に提供されるリアルな墓の映像により、サービスの結果を確認することができるが、提供された映像を参照して気づいた点や、例えば周囲の状況等を知りたい場合等は、墓参り代行サービスの担当者に確認する必要がある。
【０００７】
このような場合、例えば依頼者が現地に直接に行って、現場を自分の目で確認できればいいが、時間が取れないことになる。さらに、複数人で確認に行きたい等の場合は、再度に墓参り代行サービス業者と調整や予約を取る必要となる。墓地の管理者等に電話で確認を依頼することもできるが、依頼者が気づいた「○○も確認してほしい」、「○○の周辺はどうか？」等の関連する確認事項や周辺や周囲の状況等までをリアルタイムに確認することは困難であった。
【０００８】
また、上述した特許文献２に記載のデジタルデータの仲介方法は、映像仲介サービス事業者を介して依頼者が、自分が希望する希望地、被写体の撮影を撮影者に依頼し、撮影者によって撮影された撮影画像が提供されるサービスである。このため、撮影依頼者側は、撮影者から送られるプレビュー映像により、撮影意図を撮影者に電話で伝えることはできるが、上述と同様に、提供された画像を参照して気づいた点や、画像に映りこんだ被写体以外の物体等を知ることは困難である。
【０００９】
さらに、上述した特許文献１に記載のシステムでは、依頼側が代行サービスの業者等に依頼するものである。また特許文献２に記載のデジタルデータ仲介方法では、依頼側が仲介サービス業者や撮影者側に撮影を依頼するものである。このため、依頼側が知りえない現地ならではの場所、現地の新しい情報、魅力的な体験等を画像や映像を依頼者側に提供することはできなかった。
【００１０】
そこで本発明は、上述した問題に鑑みて案出されたものであり、その目的とするところは、遠隔地から現地の体験を共有することができる体験共有システム、及び体験共有方法を提供することにある。
【課題を解決するための手段】
【００１１】
第１発明に係る体験共有システムは、ネットワークを介して、通信可能に接続される依頼ユーザ端末及び実行ユーザ端末間で体験を共有する体験共有システムであって、前記依頼ユーザ端末から前記体験の依頼に関する依頼情報と、前記実行ユーザ端末から前記体験の実行に関する実行情報を各々受け付ける受付手段と、前記受付手段により受け付けられた前記依頼情報及び前記実行情報に基づいて、前記依頼ユーザ端末及び前記実行ユーザ端末間で共有する体験を決定する体験共有決定手段と、前記体験共有決定手段により決定された前記体験で共有するための音声又は画像を含む共有情報が前記実行ユーザ端末により得られた場合には、これを取得する情報取得手段と、前記情報取得手段により取得した前記共有情報を前記依頼ユーザ端末に配信する配信手段と、を備えることを特徴とする特徴とする。
【００１２】
第２発明に係る体験共有システムは、第１発明において、前記情報取得手段は、前記共有情報に含まれる音声又は画像の状態に関する状態情報を取得し、前記配信手段は、前記情報取得手段により取得された前記状態情報に基づいて前記共有情報の音声又は画像を調整して前記依頼ユーザ端末に配信すること、を特徴とする。
【００１３】
第３発明に係る体験共有システムは、第１又は第２発明において、前記配信手段は、前記実行ユーザ端末により前記共有情報が得られた位置の状況に関する状況情報を前記依頼ユーザ端末又は前記実行ユーザ端末に配信すること、を特徴とする。
【００１４】
第４発明に係る体験共有システムは、第１〜３発明の何れかにおいて、前記配信手段は、前記情報取得手段により取得された前記共有情報の内容に関連する識別情報を前記依頼ユーザ端末又は前記実行ユーザ端末に配信すること、を特徴とする。
【００１５】
第５発明に係る体験共有システムは、第１発明〜第４発明の何れかにおいて、前記受付手段は、前記依頼ユーザ端末又は前記実行ユーザ端末で使用される言語情報を取得し、前記配信手段は、前記受付手段により取得された前記言語情報に基づき前記共有情報を翻訳する翻訳部を有し、前記翻訳部により翻訳された共有情報を前記依頼ユーザ端末に配信すること、を特徴とする。
【００１６】
第６発明に係る体験共有システムは、第１発明において、前記依頼ユーザ端末から共有情報の取得を行う上での各種指示が含まれる指示情報を前記実行ユーザ端末に送信する指示情報送信手段を更に備え、前記情報取得手段は、前記依頼ユーザ端末の前記指示情報に基づき前記実行ユーザ端末から共有情報を取得すること、を特徴とする。
【００１７】
第７発明に係る体験共有システムは、第６発明において、前記指示情報送信手段は、共有情報の取得を行う上で前記依頼ユーザ端末が直接遠隔操作を行うための各種指示が含まれる指示情報を前記実行ユーザ端末に送信し、前記実行ユーザ端末は、前記指示情報送信手段により送信されてきた指示情報に含まれる指示に基づいて共有情報を得るための操作を制御する操作制御部を有すること、を特徴とする。
【００１８】
第８発明に係る体験共有システムは、第６発明において、前記指示情報送信手段は、前記実行ユーザ端末により前記共有情報を得るための時間帯に関する指示が含まれる指示情報を前記実行ユーザ端末に送信し、前記実行ユーザ端末は、前記指示情報送信手段により送信されてきた指示情報に含まれる時間帯に関する指示に基づいて共有情報を得るための時間帯を制御する時間帯制御部を有すること、を特徴とする。
【００１９】
第９発明に係る体験共有システムは、第６発明において、前記指示情報送信手段は、前記実行ユーザ端末により前記共有情報を得るための位置に関する指示が含まれる指示情報を前記実行ユーザ端末に送信し、前記実行ユーザ端末は、前記指示情報送信手段により送信されてきた指示情報に含まれる位置に関する指示に基づいて共有情報を得るための撮影条件を制御する撮影条件制御部を有すること、を特徴とする
【００２０】
第１０発明に係る体験共有システムは、第１〜９の何れかの発明において、前記体験共有決定手段は、前記体験を共有する位置及び時間に関する条件が記述された依頼情報と、前記体験の実行が可能な位置及び時間が記述された前記実行情報とが前記受付手段により受け付けた場合には、これらに基づいて前記依頼ユーザ端末と前記実行ユーザ端末とのマッチングを行った上で共有する体験を決定すること、を特徴とする。
【００２１】
第１１発明に係る体験共有システムは、第６発明において、前記指示情報送信手段は、前記実行ユーザ端末により前記共有情報を得るための時間帯に関する指示、又は前記共有情報を得るための位置に関する指示が含まれる指示情報を前記実行ユーザ端末に送信し、前記指示情報を送信した前記実行ユーザ端末が、前記指示情報に含まれる時間帯又は位置に関する指示に基づく共有情報の取得ができない旨を判断した場合には、当該指示にも基づく共有情報の取得が可能な他の実行ユーザ端末を探索した上でこれに対して前記指示情報を送信すること、を特徴とする
【００２２】
第１２発明に係る体験共有システムは、第１〜１１の何れかの発明において、前記情報取得手段により取得された画像を含む共有情報から人物画像、商品画像又は構造物画像を判別する判別手段と、前記判別手段により判別された人物画像、商品画像又は構造物画像をマスキングするか、又は当該画像の領域に代替画像を貼り付ける画像処理手段とを更に備えること、を特徴とする。
【００２３】
第１３発明に係る体験共有システムは、第１〜１２の何れかの発明において、前記受付手段は、前記依頼に対して支払うべき報酬を含む条件が記述された依頼情報と、前記体験の実行に対して希望する報酬が記述された前記実行情報を受け付け、前記体験共有決定手段は、前記受付手段により受け付けられた前記依頼情報及び前記実行情報のそれぞれに記述された報酬に基づいて、共有する体験を決定し、前記情報取得手段は、前記体験共有決定手段により体験が決定され、前記報酬の支払の決済が行われた後に、前記共有情報を取得することを、特徴とする。
【００２４】
第１４発明に係る体験共有方法は、ネットワークを介して、通信可能に接続される依頼ユーザ端末及び実行ユーザ端末間で体験を共有する体験共有方法であって、前記依頼ユーザ端末から前記体験の依頼に関する依頼情報と、前記実行ユーザ端末から前記体験の実行に関する実行情報を各々受け付ける受付ステップと、前記受付ステップにおいて受け付けた前記依頼情報及び前記実行情報に基づいて、前記依頼ユーザ端末及び前記実行ユーザ端末間で共有する体験を決定する体験共有決定ステップと、前記体験共有決定ステップにより決定した前記体験で共有するための音声又は画像を含む共有情報が前記実行ユーザ端末により得られた場合には、これを取得する情報取得ステップと、前記情報取得ステップにより取得した前記共有情報を前記依頼ユーザ端末に配信する配信ステップと、を有することを、特徴とする体験共有方法。
【発明の効果】
【００２５】
第１発明〜第１３発明によれば、受付手段は、依頼ユーザ端末から依頼情報と、実行ユーザ端末から実行情報を受け付ける。このため、依頼ユーザと実行ユーザのマッチングができる。これにより、遠隔地から現地の体験を共有することが可能となる。
【００２６】
また、第１発明〜第１３発明によれば、情報取得手段は、依頼ユーザ端末及び実行ユーザ端末間で共有する体験を決定する。このため、体験で共有するための音声又は画像を含む共有情報を共有することが可能となる。これにより、関連する確認事項、周辺や周囲の状況等までをリアルタイムに確認することが可能となる。
【００２７】
また、第１発明によれば、体験共有決定手段は、依頼情報及び実行情報に基づいて、依頼ユーザ端末及び実行ユーザ端末間で共有する体験を決定する。このため、遠隔地であっても現地の情報を確認できる。これにより、遠隔地から現地の体験を共有することが可能となる。
【００２８】
また、第１発明によれば、配信手段は、取得した共有情報を依頼ユーザ端末に配信する。このため、遠隔地であっても現地の情報を確認できる。これにより、依頼側が知りえない現地ならではの場所、現地の新しい情報、魅力的な体験等を画像や映像を依頼者に提供することができる。
【００２９】
また、第２発明によれば、情報取得手段は、共有情報に含まれる音声又は画像の状態に関する状態情報を取得する。このため、配信手段は、共有情報の音声又は画像を調整できる。これにより、遠隔地から現地の体験を安定して、品質の高い情報を共有することが可能となる。
【００３０】
また、第３発明によれば、配信手段は、共有情報が得られた位置の状況情報を配信する。このため、依頼ユーザ端末又は実行ユーザ端末では共有情報が得られた位置の詳細な情報を確認することができる。これにより、依頼側や実行側が知りえない現地ならではの場所、現地の新しい情報、魅力的な体験等を画像や映像を依頼者に提供することが可能となる。
【００３１】
また、第４発明によれば、配信手段は、共有情報の内容に関連する識別情報を依頼ユーザ端末又は実行ユーザ端末に配信する。このため、依頼ユーザ端末又は実行ユーザ端末では共有情報の内容の詳細な情報を確認することができる。これにより、依頼側や実行側が知りえない現地ならではの場所、現地の新しい情報、魅力的な体験等を画像や映像を依頼者に提供することが可能となる。
【００３２】
また、第５発明によれば、配信手段は、翻訳部を有する。このため、共有情報を翻訳することができる。これにより、翻訳された共有情報を依頼ユーザ端末に配信することができ、遠隔地から現地の体験の共有を、さらに向上させることが可能となる。
【００３３】
また、第６発明によれば、指示情報送信手段は、共有情報の取得を行う指示情報を実行ユーザ端末に送信する。このため、関連する確認事項、周辺や周囲の状況等までをリアルタイムに確認することができる。これにより、遠隔地から現地の体験の共有を、さらに向上させることが可能となる。
【００３４】
また、第７発明によれば、操作制御部は、指示情報に含まれる指示に基づいて共有情報を得るための操作を制御する。このため、指示情報を実行ユーザ端末に送信することができる。これにより、関連する確認事項、周辺や周囲の状況等までをリアルタイムに確認することが可能となる。
【００３５】
また、第８発明によれば、指示情報は、実行ユーザ端末により共有情報を得るための時間帯に関する指示情報を含む。このため、時間帯制御部は、共有情報を得るための時間帯を制御することができる。これにより、共有情報を取得する時間の延長、短縮することが可能となる。
【００３６】
また、第９発明によれば、指示情報は、実行ユーザ端末により共有情報を得るための位置に関する指示情報を含む。このため、撮影条件制御部は、共有情報を得るための撮影条件を制御することができる。これにより、共有情報の内容に応じた撮影制御画が可能となる。
【００３７】
また、第１０発明によれば、依頼情報は体験を共有する位置及び時間に関する条件の記述を含み、実行情報は体験の実行が可能な位置及び時間の記述を含む。このため、依頼ユーザ端末と前記実行ユーザ端末とのマッチングを行った上で共有する体験を決定することができる。これにより、遠隔地から現地の体験をより正確に共有することが可能となる。
【００３８】
また、第１１発明によれば、指示情報送信手段は、共有情報の取得ができない旨を判断する。このため、共有情報の取得が可能な他の実行ユーザ端末を探索した上でこれに対して指示情報を送信できる。これにより、遠隔地から現地の体験を継続して共有することが可能となる。
【００３９】
また、第１２発明によれば、判別手段は、共有情報から人物画像、商品画像又は構造物画像を判別する。このため、画像処理手段は、判別された人物画像、商品画像又は構造物画像をマスキングするか、又は当該画像の領域に代替画像を貼り付けることができる。これにより、遠隔地から現地の体験をプライバシーやセキュリティを考慮し、共有することが可能となる。
【００４０】
また、第１３発明によれば、受付手段は、報酬を含む条件が記述された依頼情報と、体験の実行に対して希望する報酬が記述された実行情報を受け付ける。このため、報酬に基づいて共有する体験を決定できる。これにより、報酬の支払の決済が行われた後に、遠隔地から現地の体験を共有することが可能となる。
【００４１】
また、第１４発明によれば、体験共有決定ステップは、依頼情報及び実行情報に基づいて、依頼ユーザ端末及び実行ユーザ端末間で共有する体験を決定する。このため、遠隔地であっても現地の情報を確認できる。これにより、遠隔地から現地の体験を共有することが可能となる。
【００４２】
また、第１４発明によれば、配信ステップは、取得した共有情報を依頼ユーザ端末に配信する。このため、遠隔地であっても現地の情報を確認できる。これにより、依頼側が知りえない現地ならではの場所、現地の新しい情報、魅力的な体験等を画像や映像を依頼者に提供することができる
【図面の簡単な説明】
【００４３】
【図１】図１は、本実施形態における体験共有システムの一例を示す模式図である。
【図２】図２（ａ）は、本実施形態における実行ユーザ端末による表示の一例を示す模式図であり、図２（ｂ）は、本実施形態における依頼ユーザ端末による表示の例を示す模式図である。
【図３】図３は、本実施形態における体験共有システムの構成の一例を示す模式図である。
【図４】図４は、本実施形態における体験共有システムの機能の一例を示す模式図である。
【図５】図５は、本実施形態における体験共有システムの動作の一例を示すフローチャートである。
【図６】図６は、本実施形態における体験共有システムの一例を示す模式図である。
【図７】図７（ａ）は、本実施形態における体験共有データベースに記憶される依頼情報の一例を示す模式図である。図７（ｂ）は、本実施形態における体験共有データベースに記憶される実行情報の一例を示す模式図である。
【図８】図８（ａ）は、本実施形態における体験共有データベースに記憶される翻訳データテーブルの一例を示す模式図であり、図８（ｂ）は、本実施形態における体験共有データベースに記憶される指示情報データテーブルの一例を示す模式図である。
【発明を実施するための形態】
【００４４】
以下、本発明を適用した実施形態における体験共有システム、及び体験共有方法の一例について、図面を参照しながら説明する。
【００４５】
図１を参照して、本実施形態における体験共有システム１００、及び体験共有サーバ１の一例について説明する。
【００４６】
本実施形態における体験共有システム１００は、例えば図１に示すように、体験共有サーバ１を有する。体験共有サーバ１は、例えば各種のデータを記憶するデータベースを備える。体験共有サーバは、本例えば通信網４を介して、複数の依頼ユーザ端末２（２ａ、２ｂ等）に接続される。体験共有サーバ１は、例えば通信網４を介して、複数の実行ユーザ端末３（３ａ、３ｂ等）に接続される。
【００４７】
体験共有システム１００では、例えば図２に示すように、実行ユーザ端末３は、遠隔地の風景５０を、撮像する。体験共有サーバ１は、実行ユーザ端末３で撮像された風景５０の画像を共有情報として取得し、体験共有の依頼のあった依頼ユーザ端末２に配信する。依頼ユーザ端末２は、体験共有サーバ１から配信された共有情報を受信し、依頼ユーザ端末２に備わるモニター等で参照する。共有情報は、実行ユーザ端末３が現地で撮像した音声又は画像の各種のデータ形式であってもよく、共有情報が撮像された位置に関する情報を含む。共有情報は、実行ユーザ端末３に設けられた公知のカメラを用いて撮像されるほか、実行ユーザ端末３とは独立した公知のカメラを用いて撮像されてもよい。
【００４８】
＜体験共有サーバ１＞
体験共有サーバ１には、例えば上述した各種情報が記憶される。体験共有サーバ１は、例えば通信網４を介して送られてきた各種情報を蓄積し、例えば記憶部１０４と同様の情報が記憶され、通信網４を介して体験共有システム１００と各種情報の送受信が行われてもよい。即ち、体験共有システム１００は、記憶部１０４の代わりに体験共有サーバ１を用いてもよい。
【００４９】
＜依頼ユーザ端末２＞
依頼ユーザ端末２は、依頼ユーザが共有体験したい各種の依頼情報の入力、配信部１４により配信される共有情報等の参照を行う。依頼ユーザ端末２として、主に携帯電話（携帯端末）が用いられ、それ以外ではスマートフォン、タブレット型端末、ウェアラブル端末、パーソナルコンピュータ、ＩｏＴデバイス等の電子機器のほか、体験をあらゆる電子機器で具現化されたものが用いられてもよい。依頼ユーザ端末２は、例えば通信網４を介して体験共有システム１００と接続されるほか、例えば実行ユーザ端末３と直接接続されてもよい。
【００５０】
依頼ユーザ端末２は、例えば複数台で構成されてもよく、その場合は、同じ共有情報が複数の依頼ユーザ端末２に配信されるようにしてもよい。また、依頼ユーザ端末２は、例えば複数の実行ユーザ端末３からの各々の共有情報を、１台のディスプレイに表示するように表示させてもよい。
【００５１】
＜実行ユーザ端末３＞
実行ユーザ端末３は、現地の実行ユーザ端末３が共有体験を提供する各種の実行情報の入力、情報取得部１３により取得される共有情報等の撮像を行う。実行ユーザ端末３は、例えば撮像機能が備わる機器であれば何れの機器であってもよい。実行ユーザ端末３には、例えば主に携帯電話（携帯端末）が用いられ、それ以外ではスマートフォン、タブレット型端末、ウェアラブル端末、パーソナルコンピュータ、ＩｏＴデバイス等の電子機器のほか、遠隔で撮像が可能な撮像ロボット、ドローン等、あらゆる電子機器で具現化されたものが用いられてもよい。
【００５２】
また実行ユーザ端末３は、センサーを備える電子機器であってもよく、撮像対象の被写体又は対象物に関する距離、位置情報、形状、深度、大きさ、材質、色彩、温度、赤外線等の各種の数値データを計測又は測定してもよい。
【００５３】
また実行ユーザ端末３は、例えば通信網４を介して体験共有システム１００と接続されるほか、例えば依頼ユーザ端末２と直接接続されてもよい。実行ユーザは、例えば実行ユーザ端末３を用いて、体験共有システム１００から共有情報を取得するようにしてもよい。実行ユーザ端末３は、例えば広い場所、会場等で共通の依頼情報を受かる場合は、複数台の実行ユーザ端末３で共有情報を取得するようにしてもよい。
【００５４】
＜通信網４＞
通信網４は、例えば体験共有システム１００等が通信回路を介して接続されるインターネット網等である。通信網４は、いわゆる光ファイバ通信網で構成されてもよい。また、通信網４は、有線通信網のほか、無線通信網等の公知の通信網で実現してもよい。
【００５５】
（体験共有サーバ１）
次に、図３を参照して、本実施形態における体験共有サーバ１の一例を説明する。図３は、本実施形態における体験共有システム１００の構成の一例を示す模式図である。
【００５６】
体験共有システム１００として、体験共有サーバ１は、例えば、クライアントサーバーシステムやクラウドシステム等の構成（図示せず）であってもよく、筐体１０と、ＣＰＵ（Central Processing Unit）１０１と、ＲＯＭ（Read Only Memory）１０２と、ＲＡＭ（Random Access Memory）１０３と、記憶部１０４と、複数の各々のＩ／Ｆ１０５〜１０７とを備え、各構成は、内部バス１１０により接続される。ＣＰＵ１０１は、体験共有サーバ１全体を制御する。ＲＯＭ１０２は、ＣＰＵ１０１の動作コードを格納する。ＲＡＭ１０３は、ＣＰＵ１０１の動作時に使用される作業領域である。記憶部１０４は、体験共有に必要となる依頼ユーザ及び実行ユーザに関する情報の他に、各現地や位置情報等の各種情報等の情報が記憶される。記憶部１０４として、例えばＨＤＤ（Hard Disk Drive）の他、ＳＳＤ（solid state drive）、ハードディスクまたは半導体メモリ等のデータ保存装置（図示せず）が用いられるようにしてもよい。
【００５７】
ＣＰＵ１０１は、ＲＡＭ１０３を作業領域として、記憶部１０４等に保存されたプログラムを実行することにより実現される。なお、例えば、体験共有サーバ１は、図示しないＧＰＵ（Graphics Processing Unit）を有してもよい。ＧＰＵを有することで、通常よりも高速演算処理が可能となる。
【００５８】
Ｉ／Ｆ１０５は、通信網４を介して接続される各種情報の送受信を行うためのインターフェースである。Ｉ／Ｆ１０６は、通信網４を介して、複数の依頼ユーザ端末２及び実行ユーザ端末３等との各種情報の送受信を、通信網４を介して行う。Ｉ／Ｆ１０７は、入力部分１０８の情報の送受信を行うためのインターフェースである。入力部分１０８として、例えばキーボードが用いられ、体験共有サーバ１の管理者は、入力部分１０８を介して、各種情報の送受信、又は各種情報の設定の制御コマンド等を入力する。Ｉ／Ｆ１０７は、出力部分１０９との各種情報の送受信を行うためのインターフェースである。出力部分１０９は、記憶部１０４に保存された各種情報、又は依頼ユーザ端末２、及び実行ユーザ端末３の処理状況等を出力する。出力部分１０９として、ディスプレイが用いられ、例えばタッチパネル式でもよい。
【００５９】
＜体験共有データベース１ａ＞
記憶部１０４には、予め取得された各種の情報が記憶される。記憶される情報は、例えば後述する体験共有サーバ１の体験共有データベース１ａに記憶されるデータテーブル一例を示す模式図である。体験共有データベース１ａには、例えば図７（ａ）に示す依頼データ端末２により受け付けられる依頼情報、図７（ｂ）に示す実行データ依頼端末３により受け付けられる実行情報、図８（ａ）に示す翻訳データテーブル、図８（ｂ）に示す指示情報データテーブルの一例が記憶される。
【００６０】
図４は、体験共有サーバ１の機能構成の一例を示す模式図である。体験共有サーバ１は、受付部１１と、体験共有決定部１２と、情報取得部１３と、配信部１４と、配信部１４に備わる翻訳部１４ａ、指示情報送信部１５と、操作制御部１６ａと、時間帯制御部１６ｂと、撮影条件制御部１６ｃと、画像処理部２１と、判別部２０と、出力部２２と、記憶部１０４を備え、例えば図示しない更新部を有してもよい。なお、図４に示した各機能は、ＣＰＵ１０１が、ＲＡＭ１０３を作業領域として、記憶部１０４等に記憶されたプログラムを実行することにより実現され、例えば人工知能により制御されてもよい。
【００６１】
＜受付部１１＞
受付部１１は、依頼ユーザ端末２から体験の依頼に関する依頼情報と、実行ユーザ端末３から体験の実行に関する実行情報を各々に受け付ける。受付部１１は、通信網４及びＩ／Ｆ１０６を介して、依頼ユーザ端末２から依頼情報、実行ユーザ端末３から実行情報を受付ける。なお、受付部１１が依頼情報及び実行情報を受付ける頻度及び周期は、任意である。また、受付部１１は、依頼ユーザ端末２又は実行ユーザ端末３からの依頼に対して、支払うべき報酬を含む条件が記述された依頼情報と、体験の実行に対して希望する報酬が記述された実行情報を受け付ける。さらに、受付部１１は、体験を共有する位置及び時間に関する条件が記述された依頼情報と、体験の実行が可能な位置及び時間が記述された実行情報とを受付ける。
【００６２】
＜体験共有決定部１２＞
体験共有決定部１２は、受付部１１により受け付けられた依頼情報及び実行情報に基づいて、依頼ユーザ端末２及び実行ユーザ端末３間で共有する体験を決定する。体験共有決定部１２は、例えば体験共有システム１００により提供されるアプリケーションやＷｅｂ等で提供されるプラットフォームを介して、依頼ユーザ端末２から受け付けた依頼情報と、実行ユーザ端末３から受け付けた実行情報の各々に含まれる体験の実行が可能な位置及び時間が記述された実行情報に基づいて共有する体験を決定する。体験共有決定部１２によって決定された体験は、記憶部１０４に記憶される。さらに体験共有決定部１２は、受付部１１により受け付けられた依頼情報及び実行情報のそれぞれに記述された報酬に基づいて、共有する体験を決定する。
【００６３】
＜情報取得部１３＞
情報取得部１３は、体験共有決定部１２により決定された体験で共有するための音声又は画像を含む共有情報が実行ユーザ端末３により得られた場合には、これを取得する。情報取得部１３は、通信網４及びＩ／Ｆ１０６を介して、実行ユーザ端末３から依頼ユーザ端末２と決定された体験の共有情報を取得する。また、情報取得部１３は、共有情報に含まれる音声又は画像の状態に関する状態情報を取得する。
【００６４】
ここで状態情報とは、例えば依頼ユーザ端末２に配信される音声又は画像に関する状態情報であり、例えば依頼ユーザ端末２及び実行ユーザ端末３に関する機器の状態、送受信する電波・パケットの状態、更にバッテリー状態等の情報であってもよい。情報取得部１３は、さらに、実行ユーザ端末３により共有情報が得られた位置座標、ＧＰＳ情報等の位置に関する状況の状況情報、共有情報の内容に関連する種別や特性、条件、対象、クーポン等の識別情報を体験共有データベース１ａより取得するようにしてもよい。
【００６５】
また情報取得部１３は、体験共有決定部１２により体験が決定され、報酬の支払の決済が行われた後に、実行ユーザ端末３により共有情報を取得する。
【００６６】
＜配信部１４＞
配信部１４は、通信網４及びＩ／Ｆ１０７を介して、実行ユーザ端末３から取得した共有情報を、あたかもリアルタイムで見ているようなに依頼ユーザ端末２に配信する。配信部１４は、情報取得部１３により取得された状態情報に基づいて共有情報の音声又は画像を調整して依頼ユーザ端末２に配信する。
【００６７】
また配信部１４は、実行ユーザ端末３により共有情報が得られた位置の状況に関する状況情報を依頼ユーザ端末２又は実行ユーザ端末３に配信する。これにより依頼ユーザ端末２及び実行ユーザ端末３の各々は、遠隔で体験を共有する一方で、例えば共有情報が取得された位置に応じた状況情報を取得することができる。
【００６８】
また配信部１４は、例えば依頼ユーザ端末２に配信する位置の状況としては、例えば共有情報が取得される場所や被写体等に関する説明の詳細情報であったり、新装開店した店舗のクーポン情報等の付加的な価値の情報としてもよい。これらの位置の状況は、例えば体験共有データベース１ａに予め記憶又は登録され、実行ユーザ端末３より取得した共有情報の位置に関する識別子等に基づいて提供されるようにしてもよい。このような構成とすることで、現地の実行者が知らない情報を依頼ユーザに提供することが可能となる。
【００６９】
また配信部１４は、例えば実行ユーザ端末３に配信する位置の状況に関する状況情報としては、現地で共有情報を取得する位置や場所に関する注意（例えば立ち入り危険、段差あり、滑りやすい、等）や制限（立ち入り禁止、入るには有償）であってもよい。これらの位置の状況に関する状況情報は、例えば体験共有データベース１ａに予め登録されていてもよい。配信部１４は、実行ユーザ端末３が取得した共有情報の位置に関する状況情報基づいて提供するようにしてもよい。このような構成とすることで、例えば実行ユーザ端末３の実行ユーザは、共有情報の撮像に専念することができ、安心して撮像を実行または継続することができる。これにより、現地をよりリアルに感じられる共有情報を取得することができ、依頼ユーザ端末２と体験を共有することができる。
【００７０】
また配信部１４は、実行ユーザ端末３により共有情報の内容に関連する識別情報を依頼ユーザ端末２又は実行ユーザ端末３に配信する。これらの識別情報は、例えば体験共有データベース１ａに予め記憶又は登録され、実行ユーザ端末３により取得した共有情報の内容の関する識別子に基づいて、詳細な説明情報、最新の商品情報、各種コード情報等が提供されるようにしてもよい。さらに、この識別情報は、共有情報を取得した実行ユーザ、体験を依頼した依頼ユーザの特徴や趣向に応じて、適宜に選択され配信されるようにしてもよい。このような構成とすることで、より詳しい現地の識別情報、依頼ユーザ又は実行ユーザに適した識別情報を配信することが可能となる。
【００７１】
＜翻訳部１４ａ＞
配信部１４は、翻訳部１４ａを備える。翻訳部１４ａは、受付部１１により取得された依頼ユーザ又は実行ユーザが使用する言語に関する言語情報に基づき、情報取得部１３で取得された共有情報を翻訳する。また翻訳部１４ａは、例えば依頼ユーザ端末２から実行ユーザ端末３への指示や、実行ユーザ端末３から依頼ユーザ端末２への回答の各々をリアルタイムで翻訳するようにしてもよい。翻訳された翻訳結果は、例えばテキストからテキストの他に、テキストから音声に変換されて翻訳され、配信部１４配信されるようにしてもよい。
【００７２】
＜指示情報送信部１５＞
指示情報送信部１５は、依頼ユーザ端末２から共有情報の取得を行う上での各種指示が含まれる指示情報を実行ユーザ端末３に送信する。指示情報には、共有情報の取得を行う上で依頼ユーザ端末２が直接遠隔操作を行うための各種指示が含まれ、例えば実行ユーザ端末により共有情報を得るための時間帯に関する指示、実行ユーザ端末により共有情報を得るための位置に関する指示が含まれ、それぞれ実行ユーザ端末３に送信される。実行ユーザ端末３は、この指示情報に応じた共有情報の取得のための制御を行う。
【００７３】
指示情報送信部１５は、実行ユーザ端末３により共有情報を得るための時間帯に関する指示、又は共有情報を得るための位置に関する指示が含まれる指示情報を実行ユーザ端末３に送信し、指示情報を送信した実行ユーザ端末３が、指示情報に含まれる時間帯又は位置に関する指示に基づく共有情報の取得ができない旨を判断した場合には、当該指示にも基づく共有情報の取得が可能な他の実行ユーザ端末３を探索した上で、これに対して指示情報を送信する。これにより、指示情報送信部１５は、例えば当初に依頼した実行ユーザ端末３に機器トラブルが発生、現地の当日の規制等により当初目的の場所に行くことができない等の不測の事態が現場で発生したとしても、依頼ユーザに対して体験の共有を継続することが可能となる。
【００７４】
＜操作制御部１６ａ＞
操作制御部１６ａは、実行ユーザ端末３に備わり、指示情報送信部１５により送信されてきた指示情報に含まれる指示（例えば右、左等の撮像の方向等に関する指示）に基づいて共有情報を得るための操作するための制御を行う。指示情報は、例えば予め依頼ユーザ端末２及び実行ユーザ端末３との間の機種情報、機能情報、ＵＩ情報等に応じて、対応付けられてもよく、更に、テキストやアイコンによる指示依頼が、他の形式（例えば音声、画面の点灯・点滅、バイブモードの振動機能等）と対応付けられて指示されるようにしてもよい。これにより、例えば依頼ユーザ端末２が直接に実行ユーザ端末３に対して、遠隔操作を指示することが可能となる。
【００７５】
＜時間帯制御部１６ｂ＞
時間帯制御部１６ｂは、実行ユーザ端末３に備わり、指示情報送信部１５により送信されてきた指示情報に含まれる時間帯に関する指示に基づいて共有情報を得るための時間帯の制御を行う。指示情報は、例えば予め依頼ユーザ端末２及び実行ユーザ端末３との間で取り決めた体験に関する共有時間の延長や短縮、更には時間指定、残時間であってもよい。これにより、依頼ユーザ端末２と実行ユーザ端末３間において、効率よく、又はより深く、共有する体験を楽しむことが可能となる。
【００７６】
＜撮影条件制御部１６ｃ＞
撮影条件制御部１６ｃ、実行ユーザ端末３に備わり、指示情報送信部１５により送信されてきた指示情報に含まれる位置に関する指示に基づいて共有情報を得るための撮影条件の制御を行う。撮影条件制御部１６ｃは、例えば共有情報として取得される位置の撮影制限や撮影禁止場所での撮像を制限することができ、人物が多く集まるような場所で来場者の顔等の画像の取得を制御することが可能となる。
【００７７】
＜判別部２０＞
判別部２０は、情報取得部１３により取得された画像を含む共有情報から、人物画像、商品画像又は構造物画像の判別を行う。ここで人物画像とは、現地又は現場の対象物や風景等を撮像する際に映りこんでしまう人物に関する画像である。商品画像とは、現地又は現場の対象物や店舗や店内等を撮像する際に映りこんでしまう商品、製品、工芸品、制作物等に関する画像である。構造物画像とは、現地又は現場の対象物や風景等を撮像する際に映りこんでしまう家屋、建物、ビル、橋、道路等際に映りこんでしまう建築物、構造物に関する画像である。また、風景には自然の山や川等の画像であってもよい。
【００７８】
判別部２０は、例えば、記憶部１０４等に記憶される対象データ、プログラムを実行することにより実現され、例えば人工知能により制御されてもよい。また判別部２０は、例えば体験情報データベース１ａに予め記憶される撮像禁止場所又は撮像禁止対象物等の撮影条件データテーブル（図示せず）を参照し、撮像可能か否かを判別するようにしてもよい。これにより、例えば個人（一般人や著名人）や、個人所有の家屋、商品、又は山や川等の自然物等が、無断で撮像されること防ぐことができる。
【００７９】
＜画像処理部２１＞
画像処理部２１は、判別部２０により判別された人物画像、商品画像又は構造物画像に対して、マスキングするか、又は当該画像の領域に対して、体験情報データベース１ａを参照し、対応する代替画像を取得し、取得した代替画像を共有情報に貼り付ける。
【００８０】
＜出力部２２＞
出力部２２は、共有情報の取得状況や各種の設定情報等の状況、配信部１４による配信状況、翻訳の結果等を出力する。出力部２２は、Ｉ／Ｆ１０７を介して出力部分１０９に実行ユーザ端末３により取得された共有情報を出力するほか、配信部１４によりＩ／Ｆ１０５を介して、依頼ユーザ端末２又は実行ユーザ端末３等に共有情報及び関連する各種の情報を送信する。
【００８１】
（体験共有システム１００の動作の一例）
【００８２】
＜受付手段Ｓ１１０＞
図５に示すように、受付部１１は、依頼ユーザ端末２から体験の依頼に関する依頼情報と、実行ユーザ端末３から体験の実行に関する実行情報を各々に受け付ける（受付手段Ｓ１１０）。
【００８３】
ここで、図７に、受付部１１が、依頼ユーザ端末２及び実行ユーザ端末３から受け付ける依頼情報と実行情報の受付部１１に受付けられるデータテーブルの一例を示す。
【００８４】
図７（ａ）は、本実施形態における体験共有データベース１ａに記憶される依頼ユーザ端末２から受け付けた依頼情報であり、図７（ｂ）は、本実施形態における体験共有データベース１ａに記憶される実行ユーザ端末３により受付けられる実行情報の一例である。
【００８５】
図７（ａ）に示す依頼情報は、例えば依頼ユーザ又は依頼ユーザ端末２を識別する「依頼ユーザＩＤ」、依頼ユーザと特定する「氏名」、「住所」、体験を共有の連絡等に用いられる「メールアドレス」が記憶される。さらに、依頼情報として「位置」、「時間」、「言語」「報酬」等の情報が依頼ユーザ端末２からネットワーク４を介して受付部１１に送信される。
【００８６】
＜体験共有決定手段Ｓ１２０＞
次に、依頼ユーザ端末２によって受付けられた依頼情報と、実行ユーザ端末３によって受付けられた実行情報に基づいて、依頼ユーザ端末２及び実行ユーザ端末間で共有する体験を決定する（体験共有手段Ｓ１２０）。体験共有決定部１２は、受付部１１で受け付けられた依頼情報及び実行情報を、例えば依頼ユーザ及び実行ユーザが比較し、決定しやすい形式とし、依頼ユーザ端末２及び実行ユーザ端末３を介して決定できるようにしてもよく、更に、例えば各項目の優先度や一致度等により、依頼ユーザ端末２と実行ユーザ端末３とをマッチングさせてもよい。
【００８７】
また、体験共有決定部１２は、例えば依頼ユーザ端末２と実行ユーザ端末３で決定された体験の内容や条件など決定情報を、依頼ユーザ端末２と実行ユーザ端末３に送信してもよい。体験共有決定部１２によって決定された体験は、例えば将来の予定であってもよい。その場合は、体験共有決定部１２は、例えばすでに決定した体験日の前日等にリマインダの連絡を依頼ユーザ端末２と実行ユーザ端末３に送信することとし、配信部１４から配信するようにしてもよい。
【００８８】
また、本実施形態によれば、体験共有決定部１２は、体験を共有する位置及び時間に関する条件が記述された依頼情報と、体験の実行が可能な位置及び時間が記述された実行情報とが受付部１１により受け付けた場合には、これらに基づいて依頼ユーザ端末２と実行ユーザ端末３とのマッチングを行った上で共有する体験を決定する。
【００８９】
＜情報取得手段Ｓ１３０＞
情報取得部１３は、体験共有決定手段Ｓ１２０により決定された体験で共有するための音声又は画像を含む共有情報が実行ユーザ端末３により得られた場合には、これを取得する（情報取得手段Ｓ１３０）。
【００９０】
情報取得部１３は、体験共有決定部１２によって決定された依頼情報及び実行情報に基づいて、現地の実行ユーザ端末３で撮像される音声又は画像を逐次に取得する。情報取得部１３は、取得した音声又は画像を、例えば共有情報の取得に関連する依頼情報又は実行情報と紐づけて体験共有データベース１ａに記憶するようにしてもよい。
【００９１】
本実施形態によれば、情報取得部１３は、実行ユーザ端末３のセンサーによって計測又は測定された、撮像対象の被写体又は対象物に関する距離、位置情報、形状、深度、大きさ、材質、色彩、温度、赤外線等の各種の数値データを取得する。これら取得された数値データにより、例えば３Ｄ映像を生成し、生成した３Ｄ映像を共有情報として、実行ユーザ端末３又は依頼ユーザ端末２に配信してもよい。
【００９２】
これにより依頼ユーザ端末２は、実際の現地の映像を別の形式の３Ｄデータにより生成されるバーチャル映像として、仮想空間内で鑑賞することが可能となる。
【００９３】
＜配信手段Ｓ１４０＞
配信部１４は、情報取得部１３によって取得された共有情報を依頼ユーザ端末２に配信する（配信手段Ｓ１４０）。配信部１４は、情報取得手段１３により取得した共有情報を、体験共有決定部１２で決定された依頼情報と実行情報に応じて、依頼ユーザ端末２に配信する。配信部１４は、例えば情報取得部１３で取得された現地の音声又は画像の共有情報を、依頼ユーザ端末２を介して視聴する依頼ユーザに対して、あたかもリアルタイムで現地の雰囲気が体験できるように共有情報の配信を調整するなどして配信してもよい。
【００９４】
配信部１４は、例えば共有情報の配信先、配信先数は、複数であってもよい。さらに、複数配信されている異なる共有情報を、１台の依頼ユーザ端末２に集約して視聴できるように配信してもよい。このような配信であれば、依頼ユーザは、関連する場所や内容を同時に参照したり、異なるシーン、角度や多角的に参照することができ、現地の体験をより楽しむことが可能となる。
【００９５】
これにより、例えば配信部１４が情報取得手段１３で取得された現地の共有情報を、依頼ユーザ端末２に配信する。また、配信部１４は依頼データ共有出力部分１０９に出力し、本実施形態における体験共有システム１００の動作が終了する。
【００９６】
（体験共有システム１００の動作の第１変形例）
次に、本実施形態における体験共有システム１００の第１変形例について説明する。
【００９７】
上述した動作の一例と、第１変形例との違いは、情報取得手段Ｓ１３０が、共有情報に含まれる音声又は画像の状態に関する状態情報を取得する。そして、配信手段Ｓ１４０が、情報取得部１３で取得された状態情報に基づいて、共有情報の音声又は画像を調整して依頼ユーザ端末２に配信する点である。なお、上述した動作の一例と同様の内容については、説明を省略する。
【００９８】
本実施形態によれば、情報取得部１３は、共有情報に含まれる音声又は画像の状態に関する状態情報を取得する。状態情報とは、例えば音声又は画像が正常に届いているかの状態や、電波の強弱の状態や画像の転送速度や遅延の状態である。この状態情報から、依頼ユーザ端末２と実行ユーザ端末３間で、共有情報が問題なく取得できているかがわかる。
【００９９】
また、本実施形態によれば、情報取得部１３は、例えば音声又は画像が正常に届いているかの状態や、電波の強弱の状態や画像の転送速度や遅延の状態を、各々の依頼データ端末２及び実行データ端末３より取得し、取得したデータを体験共有データベースに予め保持する状態の基準値及び調整に関する補正値やパラメ−タ等をデーターテーブル（図示せず）から取得するようにしてもよい。
【０１００】
次に配信部１４は、情報取得部１３により取得された状態情報及び補正値に基づいて、例えば共有情報の音声又は画像の強さや色合い、アンテナの指向性等を調整し、依頼ユーザ端末に調整された共有情報を配信する。配信部１４は、これにより電波の混み具合や基地局のトラブル、回線スピードによる影響を回避し、安定し、品質の高い共有情報を配信することが可能となる。
【０１０１】
これにより、例えば情報取得部１３が共有情報に含まれる状態情報を取得し、配信部１４が情報取得部１３により取得された状態情報に基づいて、共有情報の音声又は画像を調整して依頼ユーザ端末２に配信する、本実施形態における体験共有システム１００の第１変形例の動作が終了する。
【０１０２】
（図６は、本実施形態における体験共有システムの他の例を示す模式図である。）
次に、本実施形態における体験共有システム１００の第２変形例、第３変更例について説明する。
【０１０３】
上述した動作の一例及び第１変形例と第２変形例、第３変形例の違いは、配信手段Ｓ１４０が、実行ユーザ端末３により共有情報が得られた位置の状況に関する状況情報を依頼ユーザ端末２又は実行ユーザ端末３に配信する点（第２変形例）と、配信手段Ｓ１４０が、実行ユーザ端末３により共有情報が得られた内容に関連する識別情報を依頼ユーザ端末２又は実行ユーザ端末３に配信する点（第３変形例）である。なお、上述した動作の一例と同様の内容については、説明を省略する。
【０１０４】
本実施形態（第２変形例）によれば、実行ユーザ端末３により共有情報が得られた位置は、例えば実行ユーザ端末３に備わるＧＰＳ機能や情報取得部１３により共有情報とともに逐次、又は一定の間隔で情報取得部１３により取得されるようにしてもよい。これにより、実行ユーザ端末３により共有情報が得られた位置を特定することが可能となる。
【０１０５】
次に、配信部１４は、例えば特定されて実行ユーザ端末３の位置の状況に関する状況情報を体験共有データベース１ａから取得し、依頼ユーザ端末２又は実行ユーザ端末３に配信する。依頼ユーザ端末２又は実行ユーザ端末３に配信される状況情報は、例えば依頼ユーザ端末又は実行ユーザ端末３の位置に応じて異なった情報が配信されるようにしてもよい。
【０１０６】
ここで、図６を用いて、本実施形態における体験共有システム１００の第２変形例について説明する。
【０１０７】
ここで、図６（ａ）及び図６（ｂ）は、本実施形態における体験共有システム１００の第２変形例の模式図である。配信部１４は、上述の通り、実行ユーザ端末３により共有情報が得られた位置の状況に関する状況情報を依頼ユーザ端末２又は実行ユーザ端末３に配信する。この場合、実行ユーザ端末３も依頼ユーザ端末２も同じ共有情報が表示される。図６（ａ）に示すとおり、例えば実行ユーザ端末３が共有情報を撮像した位置が川に近くであれば、配信部１４は「足元に注意してください」という状況情報３０ａを体験共有データベースに予め記憶される状況情報データテーブル（図示せず）より取得し、対象の実行ユーザ端末３に配信する。一方、図６（ｂ）に示すとおり、依頼ユーザ端末２には、例えば共有情報の説明の情報として「この川は・・」というような状況情報３０ｂを体験共有データベースに予め記憶される状況情報データテーブル（図示せず）より取得し、対象の実行ユーザ端末３に配信する。
【０１０８】
本実施形態によれば、体験共有データベース１ａは、実行ユーザ端末によって撮像された共有情報の位置情報と、位置情報と対応付けられて記憶される対象の状況情報を予め記憶する。配信部１４は、実行ユーザ端末３によって撮像された共有情報に含まれる位置情報によって、依頼ユーザ端末２及び実行ユーザ端末３に配信される配信情報に状況情報３０ａ及び状況情報３０ｂを付加して配信する。
【０１０９】
これにより、例えば配信部１４は、依頼ユーザ端末２と実行ユーザ端末３とで異なる状況情報を配信し、本実施形態（第２変形例）における体験共有システム１００の動作が終了する。
【０１１０】
また、本実施形態（第３変形例）によれば、配信部１４は、実行ユーザ端末３により共有情報の内容に関連する識別情報を依頼ユーザ端末２又は実行ユーザ端末３に配信する。体験共有サーバ１の体験共有データベース１ａは、共有情報に関連する位置情報の他に、例えば類似する類似画像として、複数の類似画像を共有情報に関連する説明文等の識別情報等とともに記憶（図示せず）する。体験共有データベース１ａは、例えばそれらの画像に付される識別コード、識別コードに対応する説明や注釈のデータを含む識別情報を記憶しており、情報取得部１３により取得された共有情報に基づいて、取得された共有情報と類似する画像が体験共有データベース１ａ内に記憶されているか否かを識別し、関連する識別情報を取得する。
【０１１１】
配信部１４は、状況情報３０は、実行ユーザ端末３により撮像された共有情報の内容に応じて、例えば「公園のお土産屋さん」の画像と類似する画像、又は共有情報に対応する位置に対応付けられる識別コードを参照し、依頼ユーザ端末２に配信する識別情報を取得する。
【０１１２】
配信部１４が依頼ユーザ端末２に配信する識別情報は、例えば「お土産の値段」や「購入に関するコード情報」であってもよい。また、実行ユーザ端末３に配信する識別情報は、例えば「別のお土産屋さんは１００ｍ先」等の現地を案内するための識別情報であってもよく、実行ユーザ端末３の実行者は、この識別情報を実行ユーザ端末３のマイクから口頭で入力し、依頼ユーザ端末２のスピーカ等を介して依頼者に伝えてもよい。
【０１１３】
このように、配信部１４は、取得された共有情報の内容に関連する識別情報を、依頼ユーザ端末２又は実行ユーザ端末３で異ならせて配信することにより、それぞれの位置や目的に応じた識別情報の配信が可能となる。
【０１１４】
これにより、例えば配信部１４は、依頼ユーザ端末２と実行ユーザ端末３とで異なる状況情報を配信し、本実施形態（第３変形例）における体験共有システム１００の動作が終了する。
【０１１５】
本実施形態（第２変形例）によれば、実行ユーザ端末３により共有情報が得られた位置は、例えば実行ユーザ端末３に備わるＧＰＳ機能や情報取得部１３により共有情報とともに逐次、又は一定の間隔で情報取得部１３により取得されるようにしてもよい。これにより、実行ユーザ端末３により共有情報が得られた位置を特定することが可能となる。
【０１１６】
また、本実施形態によれば、受付部１１は、依頼ユーザ端末２又は実行ユーザ端末３で使用される言語情報を取得する（受付手段Ｓ１１０）。配信部１４は、受付部１１により取得された言語情報に基づき共有情報を翻訳する翻訳部１４ａを有する。翻訳部１４ａは、図８（ａ）に示すとおり、例えば体験共有データベース１ａに記憶される翻訳データテーブルを有し、例えば依頼ユーザ端末２及び実行ユーザ端末３でやり取りされる音声又はテキストに基づいて、依頼ユーザ端末２及び実行ユーザ端末３で使われる言語を判別する（翻訳手段Ｓ１４１）。
【０１１７】
翻訳部１４は、依頼ユーザ端末２及び実行ユーザ端末３で使われる言語情報に基づいて、依頼ユーザ端末２及び実行ユーザ端末３間でやり取りされる共有情報、指示情報等を翻訳する。そして配信部１４により依頼ユーザ端末２及び実行ユーザ端末３に配信される。
【０１１８】
また、本実施形態によれば、指示情報取得部１５は、依頼ユーザ端末２から共有情報の取得を行う上での各種指示が含まれる指示情報を実行ユーザ端末３に送信する（指示情報送信手段Ｓ１５０）。各種指示を含む指示情報は、例えば図８（ｂ）に示すとおり、体験共有データベース１ａの指示情報データテーブルに記憶される。指示情報は、例えば各端末の機能やユーザインタフェース等の機器情報に応じて予め設定される。
【０１１９】
指示情報取得部１５は、依頼ユーザ端末２から取得した指示情報に基づいて、体験共有データベース１ａの指示情報データテーブルを参照し、対応する指示情報に実行ユーザ端末３に送信する。これにより情報取得部１３は、依頼ユーザ端末２からの指示情報に基づき、体験共有サーバ１を介して、実行ユーザ端末３から共有情報を取得することが可能となる。
【０１２０】
＜指示情報送信手段Ｓ１５１、Ｓ１５２＞
また、本実施形態によれば、指示情報送信部１５は、共有情報の取得を行う上で依頼ユーザ端末２が直接遠隔操作を行うための各種指示が含まれる指示情報を実行ユーザ端末３に送信する（指示情報送信手段Ｓ１５１、Ｓ１５２）。
【０１２１】
＜操作制御手段Ｓ１６０＞
操作情報制御部１６ａは、実行ユーザ端末３に対して指示情報送信部１５により送信されてきた指示情報に含まれる指示に基づいて、共有情報を得るための操作を制御する（操作制御手段Ｓ１６０）。
【０１２２】
＜時間帯制御手段Ｓ１７０＞
また、本実施形態によれば、指示情報送信部１５が実行ユーザ端末３により共有情報を得るための時間帯に関する指示が含まれる指示情報を実行ユーザ端末３に送信する。時間帯制御部１６ｂは、指示情報送信部１５により送信される指示情報に含まれる時間帯に関する指示に基づいて、例えば共有情報を得るための時間帯を制御する。時間帯制御部１６ｂは、例えば体験共有データベース１ａの指示データテーブルに記憶される時間帯情報（図示せず）に応じて、実行ユーザ端末３による共有情報の取得を制御する。
【０１２３】
時間帯制御部１６ｂは、指示情報送信部１５により送信される指示情報に含まれる時間帯に関する指示に基づき、実行ユーザ端末３により撮像された共有情報を、情報取得部１３が取得するための時間帯の制御を行う。これにより、依頼ユーザ端末２からの指示情報に基づき、体験共有サーバ１を介して、実行ユーザ端末３から時間帯に応じた共有情報を取得することが可能となる。
【０１２４】
＜撮影条件制御手段Ｓ１７１＞
また、本実施形態では、指示情報送信部１５は、実行ユーザ端末３により共有情報を得るための位置に関する指示が含まれる指示情報を実行ユーザ端末３に送信する。そして、撮影条件成語部１６ｃは、実行ユーザ端末３に対して、指示情報送信部１５により送信された指示情報に含まれる位置に関する指示に基づいて、共有情報を得るための撮影条件を制御する（撮影条件制御手段Ｓ１７１）。
【０１２５】
体験共有データベース１ａには、共有情報が撮像される位置に応じて、撮影対象、撮影位置、撮影時間、撮影料金、撮影方法等の各種の撮影の条件に関する情報が、例えば撮影条件制御データテーブルとして予め記憶又は登録される（図示せず）。指示情報送信部１５は、この撮影条件制御データテーブルを参照し、位置に関する共有情報の取得に関する撮影条件の情報を取得し、実行ユーザ端末３に送信する。
【０１２６】
実行ユーザ端末３の撮影条件制御部１６ｃは、指示情報送信部１５により送信された指示情報に含まれる位置に関する指示に基づいて、実行ユーザ端末３で共有情報を得るための撮影条件に基づいた制御を行う。
【０１２７】
＜判別手段Ｓ１８０＞
また、本実施形態によれば、判別部２０は、情報取得部１３により取得された画像を含む共有情報から、人物画像、商品画像又は構造物画像を判別する（判別手段Ｓ１８０）。体験共有データベース１ａに記憶される各種の画像と、アイコンやキャラクター等のマスキングの画像、及びモザイク等の代替画像等が代替画像データテーブルに記憶される（図示せず）。判別部２０は、情報取得部１３により取得された画像と体験共有データベース１ａ、とを参照し、例えば公知の類似画像技術等により、対象の画像であるか否かを判別し、対象の代替画像を取得する。
【０１２８】
＜画像処理手段２１＞
画像処理部２１は、判別部２０による判別の結果及び取得された代替画像に基づいて、判別された人物画像、商品画像又は構造物画像の一部分、または全体に、マスキング又は判別の結果により該当する画像の領域に、代替画像を貼り付ける（画像処理手段Ｓ１９０）。画像処理部２０による代替画像の貼り付けは、例えばモザイク表示やアバター表示デアあってもよく、依頼ユーザ端末２の依頼者及び実行ユーザ端末３の実行者の各々のプライバシーを保護できる。さらに、現場や現地の一般の人物、特定の商品、撮影許可が必要な構造物、自然物等の不用意、無断の撮像を回避することができる。
【０１２９】
また、本実施形態によれば、受付部１１は、依頼に対して支払うべき報酬を含む条件が記述された依頼情報と、体験の実行に対して希望する報酬が記述された実行情報を受け付け、体験共有決定部１２は、受付部１１により受け付けられた依頼情報及び実行情報のそれぞれに記述された報酬に基づいて、共有する体験を決定する。そして、情報取得部１３は、体験共有決定部１２により依頼ユーザ端末２と実行ユーザ端末３間で共有する体験が決定され、依頼ユーザ端末２又は実行ユーザ端末３による報酬の支払の決済が行われた後に、共有情報を取得すること可能となる。これにより、確実に依頼と実行ができ、報酬の徴収が可能となる。
【０１３０】
また、本実施形態によれば、情報取得部１３は、実行ユーザ端末３によって計測又は測定された要介護者や高齢者等の姿勢、体温、呼吸数等の各種の身体数値データを取得してもよい。判別部２０は、情報取得部１３により取得された要介護者や高齢者等の姿勢、体温、呼吸数等の各種の身体数値データに基づき、要介護者や高齢者等の状態を判別する。画像処理部２１は、判別部２０により判別された要介護者や高齢者等の状態に対して、例えば３Ｄ映像に変換する。配信部１４は、３Ｄ映像に変換された共有情報を親族等の介護者や介護施設の看護士等の依頼ユーザ端末２に配信するようにしてもよい。
【０１３１】
これにより要介護者や高齢者のプライバシーを確保したまま、遠隔での要介護者や高齢者等の状態の把握でき、サポートが可能となる。
【０１３２】
また、本実施形態によれば、実行ユーザ端末３は、現場又は現地で撮像した共有情報の確認やチェック等の作業を、体験共有サーバ１を介して専門的な情報や知識を持つ依頼ユーザ端末２に依頼するようにしてもよい。実行ユーザ端末３は、アドバイス等を得たい画像を撮像し、体験共有サーバ１を介して依頼ユーザ端末２に共有情報として配信される。
【０１３３】
これにより実行ユーザ端末３は、例えば自分が買いたい商品を、遠隔で依頼ユーザ端末２に確認してもらい、適切な商品等を購入することが可能となる。
【０１３４】
また、本実施形態によれば、共有体験サーバ１は、実行ユーザ端末３から現場又は現地に居ること、何ができるか等の作業を実行情報として受け付け、体験共有サーバ１に登録される依頼ユーザ端末２に公開するようにしてもよい。共有体験サーバ１は、依頼ユーザ端末２からの依頼情報を受け付けてもよい。体験共有決定部１２は、実行ユーザ端末３により受け付けられた実行情報に合致する依頼ユーザ端末２を決定することで、実行ユーザ端末３は、現場又は現地の撮像や状態の確認、又は調査等の撮像の作業を行う。
【０１３５】
また、本実施形態によれば、実行ユーザ端末３の作業は、撮像の他に、例えば「行列に並んでほしい」、「落とし物の確認をしてほしい」等の作業であってもよく、それらの状況を共有情報として撮像してもよい。実行ユーザ端末３によって撮像された共有情報は、体験共有サーバ１の情報取得に１３により取得され、配信部１４により依頼ユーザ端末２に配信される。
【０１３６】
また、本実施形態によれば、実行ユーザ端末３を所持する実行者は、例えば現地に滞在し、遠隔地の依頼ユーザ端末２に応じた現地ならではの画像を撮像する業務等を請け負うことが可能となる。体験共有サーバ１を介して依頼ユーザ端末２に配信する。依頼ユーザ端末２を所持する依頼ユーザは、体験共有サーバ１の配信部１４により配信される共有画像を参照することで、遠隔に居ながらにして、疑似的な移動を創出する瞬間移動を体験することが可能となる。
【０１３７】
本発明の実施形態を説明したが、この実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３８】
１        ：体験共有サーバ
１ａ      ：体験共有データベース
２，２ａ，２ｂ ：依頼ユーザ端末
３，３ａ，３ｂ  ：実行ユーザ端末
４        ：通信網
１０      ：筐体
１１      ：受付部
１２      ：体験共有決定部
１３      ：情報取得部
１４      ：配信部
１４ａ    ：翻訳部
１５      ：指示情報送信部
１６ａ    ：操作制御部
１６ｂ    ：時間帯制御部
１６ｃ    ：撮影条件制御部
２０      ：判別部
２１      ：画像処理部
２２      ：出力部
３０ａ    ：状況情報Ａ
３０ｂ    ：状況情報Ｂ
５０      ：風景
１００    ：体験共有システム
１０１    ：ＣＰＵ
１０２    ：ＲＯＭ
１０３    ：ＲＡＭ
１０４    ：記憶部
１０５    ：Ｉ／Ｆ
１０６    ：Ｉ／Ｆ
１０７    ：Ｉ／Ｆ
１０８    ：入力部分
１０９    ：出力部分
１１０    ：内部バス
Ｓ１１０，Ｓ１１１  ：受付手段
Ｓ１２０  ：体験共有決定手段
Ｓ１３０  ：情報取得手段
Ｓ１４０，Ｓ１４２  ：配信手段
Ｓ１４１  ：翻訳手段
Ｓ１５０，Ｓ１５１，Ｓ１５２  ：指示情報送信手段
Ｓ１６０  ：操作制御手段
Ｓ１７０  ：時間帯制御手段
Ｓ１７１  ：撮影条件制御手段
Ｓ１８０  ：判別手段
Ｓ１９０  ：画像処理手段
【図１】
2020198474.tif 000003
【図２】
2020198474.tif 000004
【図３】
2020198474.tif 000005
【図４】
2020198474.tif 000006
【図５】
2020198474.tif 000007
【図６】
2020198474.tif 000008
【図７】
2020198474.tif 000009
【図８】
2020198474.tif 000010
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
ネットワークを介して、通信可能に接続される依頼ユーザ端末及び実行ユーザ端末の間で体験を共有する体験共有システムであって、
前記依頼ユーザ端末から前記体験の依頼に関する依頼情報と、前記実行ユーザ端末から前記体験の実行に関する実行情報を各々受け付ける受付手段と、
前記受付手段により受け付けられた前記依頼情報及び前記実行情報の各々に含まれる位置及び時間の少なくとも何れかを含む情報が一致するか否かに基づいて、前記体験を共有する依頼ユーザ端末及び実行ユーザ端末を決定する体験共有決定手段と、
前記体験共有決定手段により決定された前記依頼ユーザ端末及び前記実行ユーザ端末の間において、前記体験で共有するための音声又は画像を含む共有情報が前記実行ユーザ端末により得られた場合には、これを取得する情報取得手段と、
前記情報取得手段により取得した前記共有情報を前記依頼ユーザ端末に配信する配信手段と、
を備えることを特徴とする体験共有システム。
【請求項２】
前記情報取得手段は、
前記共有情報に含まれる音声又は画像の状態に関する状態情報を取得し、
前記配信手段は、
前記情報取得手段により取得された前記状態情報に基づいて前記共有情報の音声又は画像を調整して前記依頼ユーザ端末に配信すること、
を特徴とする請求項１記載の体験共有システム。
【請求項３】
前記配信手段は、
前記実行ユーザ端末により前記共有情報が得られた位置の状況に関する状況情報を前記依頼ユーザ端末又は前記実行ユーザ端末に配信すること、
を特徴とする請求項１又は２記載の体験共有システム。
【請求項４】
前記配信手段は、
前記情報取得手段により取得された前記共有情報の内容に関連する識別情報を前記依頼ユーザ端末又は前記実行ユーザ端末に配信すること、
を特徴とする請求項１〜３のうち何れか１項記載の体験共有システム。
【請求項５】
前記受付手段は、
前記依頼ユーザ端末又は前記実行ユーザ端末で使用される言語情報を取得し、
前記配信手段は、
前記受付手段により取得された前記言語情報に基づき前記共有情報を翻訳する翻訳部を有し、
前記翻訳部により翻訳された共有情報を前記依頼ユーザ端末に配信すること、
を特徴とする請求項１〜４のうち何れか１項記載の体験共有システム。
【請求項６】
前記依頼ユーザ端末から共有情報の取得を行う上での各種指示が含まれる指示情報を前記実行ユーザ端末に送信する指示情報送信手段を更に備え、
前記情報取得手段は、
前記依頼ユーザ端末の前記指示情報に基づき前記実行ユーザ端末から共有情報を取得すること、
を特徴とする請求項１記載の体験共有システム。
【請求項７】
前記指示情報送信手段は、共有情報の取得を行う上で前記依頼ユーザ端末が直接遠隔操作を行うための各種指示が含まれる指示情報を前記実行ユーザ端末に送信し、
前記実行ユーザ端末は、前記指示情報送信手段により送信されてきた指示情報に含まれる指示に基づいて共有情報を得るための操作を制御する操作制御部を有すること
を特徴とする請求項６記載の体験共有システム。
【請求項８】
前記指示情報送信手段は、前記実行ユーザ端末により前記共有情報を得るための時間帯に関する指示が含まれる指示情報を前記実行ユーザ端末に送信し、
前記実行ユーザ端末は、前記指示情報送信手段により送信されてきた指示情報に含まれる時間帯に関する指示に基づいて共有情報を得るための時間帯を制御する時間帯制御部を有すること
を特徴とする請求項６記載の体験共有システム。
【請求項９】
前記指示情報送信手段は、前記実行ユーザ端末により前記共有情報を得るための位置に関する指示が含まれる指示情報を前記実行ユーザ端末に送信し、
前記実行ユーザ端末は、前記指示情報送信手段により送信されてきた指示情報に含まれる位置に関する指示に基づいて共有情報を得るための撮影条件を制御する撮影条件制御部を有すること
を特徴とする請求項６記載の体験共有システム。
【請求項１０】
前記体験共有決定手段は、前記体験を共有する位置及び時間に関する条件が記述された依頼情報と、前記体験の実行が可能な位置及び時間が記述された前記実行情報とが前記受付手段により受け付けた場合には、これらに基づいて前記依頼ユーザ端末と前記実行ユーザ端末とのマッチングを行った上で共有する体験を共有する依頼ユーザ端末及び実行ユーザ端末を決定すること
を特徴とする請求項１〜９のうち何れか１項記載の体験共有システム。
【請求項１１】
前記指示情報送信手段は、前記実行ユーザ端末により前記共有情報を得るための時間帯に関する指示、又は前記共有情報を得るための位置に関する指示が含まれる指示情報を前記実行ユーザ端末に送信し、前記指示情報を送信した前記実行ユーザ端末が、前記指示情報に含まれる時間帯又は位置に関する指示に基づく共有情報の取得ができない旨を判断した場合には、当該指示にも基づく共有情報の取得が可能な他の実行ユーザ端末を探索した上でこれに対して前記指示情報を送信すること
を特徴とする請求項６記載の体験共有システム。
【請求項１２】
前記情報取得手段により取得された画像を含む共有情報から人物画像、商品画像又は構造物画像を判別する判別手段と、
前記判別手段により判別された人物画像、商品画像又は構造物画像をマスキングするか、又は当該画像の領域に代替画像を貼り付ける画像処理手段とを更に備えること
を特徴とする前記請求項1〜１１のうち何れか１項記載の体験共有システム。
【請求項１３】
前記受付手段は、前記依頼に対して支払うべき報酬を含む条件が記述された依頼情報と、前記体験の実行に対して希望する報酬が記述された前記実行情報を受け付け、
前記体験共有決定手段は、前記受付手段により受け付けられた前記依頼情報及び前記実行情報のそれぞれに記述された報酬が一致するか否かに基づいて、前記体験を共有する依頼ユーザ端末及び実行ユーザ端末を決定し、
前記情報取得手段は、前記体験共有決定手段により前記体験を共有する依頼ユーザ端末及び実行ユーザ端末が決定され、前記報酬の支払の決済が行われた後に、前記共有情報を取得すること
を特徴とする請求項１〜１２のうち何れか１項記載の体験共有システム。
【請求項１４】
ネットワークを介して、通信可能に接続される依頼ユーザ端末及び実行ユーザ端末の間で体験を共有する体験共有方法であって、
前記依頼ユーザ端末から前記体験の依頼に関する依頼情報と、前記実行ユーザ端末から前記体験の実行に関する実行情報を各々受け付ける受付ステップと、
前記受付ステップにおいて受け付けた前記依頼情報及び前記実行情報の各々に含まれる位置及び時間の少なくとも何れかを含む情報が一致するか否かに基づいて、前記体験を共有する依頼ユーザ端末及び実行ユーザ端末を決定する体験共有決定ステップと、
前記体験共有決定ステップにより決定した前記依頼ユーザ端末及び実行ユーザ端末の間において、前記体験で共有するための音声又は画像を含む共有情報が前記実行ユーザ端末により得られた場合には、これを取得する情報取得ステップと、
前記情報取得ステップにより取得した前記共有情報を前記依頼ユーザ端末に配信する配信ステップと、
を有することを特徴とする体験共有方法。
【手続補正３】
【補正対象書類名】明細書
【補正対象項目名】００１１
【補正方法】変更
【補正の内容】
【００１１】
第１発明に係る体験共有システムは、ネットワークを介して、通信可能に接続される依頼ユーザ端末及び実行ユーザ端末間で体験を共有する体験共有システムであって、前記依頼ユーザ端末から前記体験の依頼に関する依頼情報と、前記実行ユーザ端末から前記体験の実行に関する実行情報を介して各々受け付ける受付手段と、前記受付手段により受け付けられた前記依頼情報及び前記実行情報の各々に含まれる位置及び時間の少なくとも何れかを含む情報が一致するか否かに基づいて、前記体験を共有する依頼ユーザ端末及び実行ユーザ端末を決定する体験共有決定手段と、前記体験共有決定手段により決定された前記依頼ユーザ端末及び前記実行ユーザ端末の間において、前記体験で共有するための音声又は画像を含む共有情報が前記実行ユーザ端末により得られた場合には、これを取得する情報取得手段と、を備えることを特徴とする特徴とする。
【手続補正４】
【補正対象書類名】明細書
【補正対象項目名】００２０
【補正方法】変更
【補正の内容】
【００２０】
第１０発明に係る体験共有システムは、第１〜９の何れかの発明において、前記体験共有決定手段は、前記体験を共有する位置及び時間に関する条件が記述された依頼情報と、前記体験の実行が可能な位置及び時間が記述された前記実行情報とが前記受付手段により受け付けた場合には、これらに基づいて前記依頼ユーザ端末と前記実行ユーザ端末とのマッチングを行った上で共有する体験を共有する依頼ユーザ端末及び実行ユーザ端末を決定すること、を特徴とする。
【手続補正５】
【補正対象書類名】明細書
【補正対象項目名】００２３
【補正方法】変更
【補正の内容】
【００２３】
第１３発明に係る体験共有システムは、第１〜１２の何れかの発明において、前記受付手段は、前記依頼に対して支払うべき報酬を含む条件が記述された依頼情報と、前記体験の実行に対して希望する報酬が記述された前記実行情報を受け付け、前記体験共有決定手段は、前記受付手段により受け付けられた前記依頼情報及び前記実行情報のそれぞれに記述された報酬が一致するか否かに基づいて、前記体験を共有する依頼ユーザ端末及び実行ユーザ端末を決定し、前記情報取得手段は、前記体験共有決定手段により前記体験を共有する依頼ユーザ端末及び実行ユーザ端末が決定され、前記報酬の支払の決済が行われた後に、前記共有情報を取得すること特徴とする。
【手続補正６】
【補正対象書類名】明細書
【補正対象項目名】００２４
【補正方法】変更
【補正の内容】
【００２４】
第１４発明に係る体験共有方法は、ネットワークを介して、通信可能に接続される依頼ユーザ端末及び実行ユーザ端末の間で体験を共有する体験共有方法であって、前記依頼ユーザ端末から前記体験の依頼に関する依頼情報と、前記実行ユーザ端末から前記体験の実行に関する実行情報を各々受け付ける受付ステップと、前記受付ステップにおいて受け付けた前記依頼情報及び前記実行情報の各々に含まれる位置及び時間の少なくとも何れかを含む情報が一致するか否かに基づいて、前記体験を共有する依頼ユーザ端末及び実行ユーザ端末を決定する体験共有決定ステップと、前記体験共有決定ステップにより決定した前記依頼ユーザ端末及び実行ユーザ端末の間において、前記体験で共有するための音声又は画像を含む共有情報が前記実行ユーザ端末により得られた場合には、これを取得する情報取得ステップと、を有することを特徴とする。
【手続補正７】
【補正対象書類名】明細書
【補正対象項目名】００５９
【補正方法】変更
【補正の内容】
【００５９】
＜体験共有データベース１ａ＞
記憶部１０４には、予め取得された各種の情報が記憶される。記憶される情報は、例えば後述する体験共有サーバ１の体験共有データベース１ａに記憶されるデータテーブル一例を示す模式図である。体験共有データベース１ａには、例えば図７（ａ）に示す依頼ユーザ端末２により受け付けられる依頼情報、図７（ｂ）に示す実行ユーザ依頼端末３により受け付けられる実行情報、図８（ａ）に示す翻訳データテーブル、図８（ｂ）に示す指示情報データテーブルの一例が記憶される。
【手続補正８】
【補正対象書類名】明細書
【補正対象項目名】００７８
【補正方法】変更
【補正の内容】
【００７８】
判別部２０は、例えば、記憶部１０４等に記憶される対象データ、プログラムを実行することにより実現され、例えば人工知能により制御されてもよい。また判別部２０は、例えば体験共有データベース１ａに予め記憶される撮像禁止場所又は撮像禁止対象物等の撮影条件データテーブル（図示せず）を参照し、撮像可能か否かを判別するようにしてもよい。これにより、例えば個人（一般人や著名人）や、個人所有の家屋、商品、又は山や川等の自然物等が、無断で撮像されること防ぐことができる。
【手続補正９】
【補正対象書類名】明細書
【補正対象項目名】００７９
【補正方法】変更
【補正の内容】
【００７９】
＜画像処理部２１＞
画像処理部２１は、判別部２０により判別された人物画像、商品画像又は構造物画像に対して、マスキングするか、又は当該画像の領域に対して、体験共有データベース１ａを参照し、対応する代替画像を取得し、取得した代替画像を共有情報に貼り付ける。
【手続補正１０】
【補正対象書類名】明細書
【補正対象項目名】００９３
【補正方法】変更
【補正の内容】
【００９３】
＜配信手段Ｓ１４０＞
配信部１４は、情報取得部１３によって取得された共有情報を依頼ユーザ端末２に配信する（配信手段Ｓ１４０）。配信部１４は、情報取得部１３により取得した共有情報を、体験共有決定部１２で決定された依頼情報と実行情報に応じて、依頼ユーザ端末２に配信する。配信部１４は、例えば情報取得部１３で取得された現地の音声又は画像の共有情報を、依頼ユーザ端末２を介して視聴する依頼ユーザに対して、あたかもリアルタイムで現地の雰囲気が体験できるように共有情報の配信を調整するなどして配信してもよい。
【手続補正１１】
【補正対象書類名】明細書
【補正対象項目名】００９５
【補正方法】変更
【補正の内容】
【００９５】
これにより、例えば配信部１４が情報取得部１３で取得された現地の共有情報を、依頼ユーザ端末２に配信する。また、配信部１４は依頼データ共有出力部分１０９に出力し、本実施形態における体験共有システム１００の動作が終了する。
【手続補正１２】
【補正対象書類名】明細書
【補正対象項目名】００９９
【補正方法】変更
【補正の内容】
【００９９】
また、本実施形態によれば、情報取得部１３は、例えば音声又は画像が正常に届いているかの状態や、電波の強弱の状態や画像の転送速度や遅延の状態を、各々の依頼ユーザ端末２及び実行ユーザ端末３より取得し、取得したデータを体験共有データベースに予め保持する状態の基準値及び調整に関する補正値やパラメ−タ等をデーターテーブル（図示せず）から取得するようにしてもよい。
【手続補正１３】
【補正対象書類名】明細書
【補正対象項目名】０１１９
【補正方法】変更
【補正の内容】
【０１１９】
指示情報送信部１５は、依頼ユーザ端末２から取得した指示情報に基づいて、体験共有データベース１ａの指示情報データテーブルを参照し、対応する指示情報に実行ユーザ端末３に送信する。これにより情報取得部１３は、依頼ユーザ端末２からの指示情報に基づき、体験共有サーバ１を介して、実行ユーザ端末３から共有情報を取得することが可能となる。
【手続補正１４】
【補正対象書類名】明細書
【補正対象項目名】０１２１
【補正方法】変更
【補正の内容】
【０１２１】
＜操作制御手段Ｓ１６０＞
操作制御部１６ａは、実行ユーザ端末３に対して指示情報送信部１５により送信されてきた指示情報に含まれる指示に基づいて、共有情報を得るための操作を制御する（操作制御手段Ｓ１６０）。
【手続補正１５】
【補正対象書類名】明細書
【補正対象項目名】０１２４
【補正方法】変更
【補正の内容】
【０１２４】
＜撮影条件制御手段Ｓ１７１＞
また、本実施形態では、指示情報送信部１５は、実行ユーザ端末３により共有情報を得るための位置に関する指示が含まれる指示情報を実行ユーザ端末３に送信する。そして、撮影条件制御部１６ｃは、実行ユーザ端末３に対して、指示情報送信部１５により送信された指示情報に含まれる位置に関する指示に基づいて、共有情報を得るための撮影条件を制御する（撮影条件制御手段Ｓ１７１）。
【手続補正１６】
【補正対象書類名】明細書
【補正対象項目名】０１２８
【補正方法】変更
【補正の内容】
【０１２８】
＜画像処理部２１＞
画像処理部２１は、判別部２０による判別の結果及び取得された代替画像に基づいて、判別された人物画像、商品画像又は構造物画像の一部分、または全体に、マスキング又は判別の結果により該当する画像の領域に、代替画像を貼り付ける（画像処理手段Ｓ１９０）。画像処理部２１による代替画像の貼り付けは、例えばモザイク表示やアバター表示デアあってもよく、依頼ユーザ端末２の依頼者及び実行ユーザ端末３の実行者の各々のプライバシーを保護できる。さらに、現場や現地の一般の人物、特定の商品、撮影許可が必要な構造物、自然物等の不用意、無断の撮像を回避することができる。
【手続補正１７】
【補正対象書類名】明細書
【補正対象項目名】０１３４
【補正方法】変更
【補正の内容】
【０１３４】
また、本実施形態によれば、体験共有サーバ１は、実行ユーザ端末３から現場又は現地に居ること、何ができるか等の作業を実行情報として受け付け、体験共有サーバ１に登録される依頼ユーザ端末２に公開するようにしてもよい。体験共有サーバ１は、依頼ユーザ端末２からの依頼情報を受け付けてもよい。体験共有決定部１２は、実行ユーザ端末３により受け付けられた実行情報に合致する依頼ユーザ端末２を決定することで、実行ユーザ端末３は、現場又は現地の撮像や状態の確認、又は調査等の撮像の作業を行う。
【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
ネットワークを介して、通信可能に接続される依頼ユーザ端末及び実行ユーザ端末を接続した状態で体験を共有する体験共有システムであって、
前記依頼ユーザ端末から体験の依頼に関する依頼情報と、前記実行ユーザ端末から体験の実行に関する実行情報を各々受け付ける受付手段と、
前記受付手段により受け付けられた前記依頼情報及び前記実行情報の各々に含まれる位置及び時間の少なくとも何れかを含む情報が一致するか否かに基づいて、前記体験を共有する依頼ユーザ端末及び実行ユーザ端末を決定する体験共有決定手段と、
前記体験共有決定手段により決定された前記依頼ユーザ端末及び前記実行ユーザ端末の間において、前記体験で共有するための音声又は画像を含む共有情報を前記実行ユーザ端末から取得し、取得した前記共有情報に基づいて前記共有情報の位置に関する状況情報を取得する情報取得手段と、
前記情報取得手段により取得した前記共有情報を、前記実行ユーザ端末における前記共有情報の表示と同一の表示となるように前記依頼ユーザ端末にリアルタイムに配信し、前記状況情報を前記実行ユーザ端末のみの表示となるように前記実行ユーザ端末にリアルタイムに配信する配信手段と、
を備えることを特徴とする体験共有システム。
【請求項２】
前記情報取得手段は、
前記共有情報に含まれる音声又は画像の状態に関する状態情報を取得し、
前記配信手段は、
前記情報取得手段により取得された前記状態情報に基づいて前記共有情報の音声又は画像を調整して前記依頼ユーザ端末に配信すること、
を特徴とする請求項１記載の体験共有システム。
【請求項３】
前記配信手段は、
前記情報取得手段により取得された前記共有情報の内容に関連する識別情報を前記依頼ユーザ端末又は前記実行ユーザ端末に配信すること、
を特徴とする請求項１又は２記載の体験共有システム。
【請求項４】
前記受付手段は、
前記依頼ユーザ端末又は前記実行ユーザ端末で使用される言語情報を取得し、
前記配信手段は、
前記受付手段により取得された前記言語情報に基づき前記共有情報を翻訳する翻訳部を有し、
前記翻訳部により翻訳された共有情報を前記依頼ユーザ端末に配信すること、
を特徴とする請求項１〜３のうち何れか１項記載の体験共有システム。
【請求項５】
前記依頼ユーザ端末から共有情報の取得を行う上での各種指示が含まれる指示情報を前記実行ユーザ端末に送信する指示情報送信手段を更に備え、
前記情報取得手段は、
前記依頼ユーザ端末の前記指示情報に基づき前記実行ユーザ端末から共有情報を取得すること、
を特徴とする請求項１記載の体験共有システム。
【請求項６】
前記指示情報送信手段は、共有情報の取得を行う上で前記依頼ユーザ端末が直接遠隔操作を行うための各種指示が含まれる指示情報を前記実行ユーザ端末に送信し、
前記実行ユーザ端末は、前記指示情報送信手段により送信されてきた指示情報に含まれる指示に基づいて共有情報を得るための操作を制御する操作制御部を有すること
を特徴とする請求項５記載の体験共有システム。
【請求項７】
前記指示情報送信手段は、前記実行ユーザ端末により前記共有情報を得るための時間帯に関する指示が含まれる指示情報を前記実行ユーザ端末に送信し、
前記実行ユーザ端末は、前記指示情報送信手段により送信されてきた指示情報に含まれる時間帯に関する指示に基づいて共有情報を得るための時間帯を制御する時間帯制御部を有すること
を特徴とする請求項５記載の体験共有システム。
【請求項８】
前記指示情報送信手段は、前記実行ユーザ端末により前記共有情報を得るための位置に関する指示が含まれる指示情報を前記実行ユーザ端末に送信し、
前記実行ユーザ端末は、前記指示情報送信手段により送信されてきた指示情報に含まれる位置に関する指示に基づいて共有情報を得るための撮影条件を制御する撮影条件制御部を有すること
を特徴とする請求項５記載の体験共有システム。
【請求項９】
前記体験共有決定手段は、前記体験を共有する位置及び時間に関する条件が記述された依頼情報と、前記体験の実行が可能な位置及び時間が記述された前記実行情報とが前記受付手段により受け付けた場合には、これらに基づいて前記依頼ユーザ端末と前記実行ユーザ端末とのマッチングを行った上で共有する体験を共有する依頼ユーザ端末及び実行ユーザ端末を決定すること
を特徴とする請求項１〜８のうち何れか１項記載の体験共有システム。
【請求項１０】
前記指示情報送信手段は、前記実行ユーザ端末により前記共有情報を得るための時間帯に関する指示、又は前記共有情報を得るための位置に関する指示が含まれる指示情報を前記実行ユーザ端末に送信し、前記指示情報を送信した前記実行ユーザ端末が、前記指示情報に含まれる時間帯又は位置に関する指示に基づく共有情報の取得ができない旨を判断した場合には、当該指示に基づく共有情報の取得が可能な他の実行ユーザ端末を探索した上でこれに対して前記指示情報を送信すること
を特徴とする請求項５記載の体験共有システム。
【請求項１１】
前記情報取得手段により取得された画像を含む共有情報から人物画像、商品画像又は構造物画像を判別する判別手段と、
前記判別手段により判別された人物画像、商品画像又は構造物画像をマスキングするか、又は当該画像の領域に代替画像を貼り付ける画像処理手段とを更に備えること
を特徴とする前記請求項1〜１０のうち何れか１項記載の体験共有システム。
【請求項１２】
前記受付手段は、前記依頼に対して支払うべき報酬を含む条件が記述された依頼情報と、前記体験の実行に対して希望する報酬が記述された前記実行情報を受け付け、
前記体験共有決定手段は、前記受付手段により受け付けられた前記依頼情報及び前記実行情報のそれぞれに記述された報酬が一致するか否かに基づいて、前記体験を共有する依頼ユーザ端末及び実行ユーザ端末を決定し、
前記情報取得手段は、前記体験共有決定手段により前記体験を共有する依頼ユーザ端末及び実行ユーザ端末が決定され、前記報酬の支払の決済が行われた後に、前記共有情報を取得すること
を特徴とする請求項１〜１１のうち何れか１項記載の体験共有システム。
【請求項１３】
ネットワークを介して、通信可能に接続される依頼ユーザ端末及び実行ユーザ端末の間で体験を共有する体験共有方法であって、
前記依頼ユーザ端末から体験の依頼に関する依頼情報と、前記実行ユーザ端末から体験の実行に関する実行情報を各々受け付ける受付ステップと、
前記受付ステップにより受け付けられた前記依頼情報及び前記実行情報の各々に含まれる位置及び時間の少なくとも何れかを含む情報が一致するか否かに基づいて、前記体験を共有する依頼ユーザ端末及び実行ユーザ端末を決定する体験共有決定ステップと、
前記体験共有決定ステップ手段により決定された前記依頼ユーザ端末及び前記実行ユーザ端末の間において、前記体験で共有するための音声又は画像を含む共有情報を前記実行ユーザ端末から取得し、取得した前記共有情報に基づいて前記共有情報の位置に関する状況情報を取得する情報取得ステップと、
前記情報取得ステップにより取得した前記共有情報を、前記実行ユーザ端末における前記共有情報の表示と同一の表示となるように前記依頼ユーザ端末にリアルタイムに配信し、前記状況情報を前記実行ユーザ端末のみの表示となるように前記実行ユーザ端末にリアルタイムに配信する配信ステップと、
を有することを特徴とする体験共有方法。
【手続補正２】
【補正対象書類名】明細書
【補正対象項目名】００１１
【補正方法】変更
【補正の内容】
【００１１】
第１発明に係る体験共有システムは、ネットワークを介して、通信可能に接続される依頼ユーザ端末及び実行ユーザ端末を接続した状態で体験を共有する体験共有システムであって、前記依頼ユーザ端末から体験の依頼に関する依頼情報と、前記実行ユーザ端末から体験の実行に関する実行情報を各々受け付ける受付手段と、前記受付手段により受け付けられた前記依頼情報及び前記実行情報の各々に含まれる位置及び時間の少なくとも何れかを含む情報が一致するか否かに基づいて、前記体験を共有する依頼ユーザ端末及び実行ユーザ端末を決定する体験共有決定手段と、前記体験共有決定手段により決定された前記依頼ユーザ端末及び前記実行ユーザ端末の間において、前記体験で共有するための音声又は画像を含む共有情報を前記実行ユーザ端末から取得し、取得した前記共有情報に基づいて前記共有情報の位置に関する状況情報を取得する情報取得手段と、前記情報取得手段により取得した前記共有情報を、前記実行ユーザ端末における前記共有情報を、前記実行ユーザ端末における前記共有情報の表示と同一の表示となるように前記依頼ユーザ端末にリアルタイムに配信し、前記状況情報を前記実行ユーザ端末のみの表示となるように前記実行ユーザ端末にリアルタイムに配信する配信手段と、を備えることを特徴とする。  
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
第３発明に係る体験共有システムは、第１又は第２発明の何れかにおいて、前記配信手段は、前記情報取得手段により取得された前記共有情報の内容に関連する識別情報を前記依頼ユーザ端末又は前記実行ユーザ端末に配信すること、を特徴とする。
【手続補正５】
【補正対象書類名】明細書
【補正対象項目名】００１５
【補正方法】変更
【補正の内容】
【００１５】
第４発明に係る体験共有システムは、第１発明〜第３発明の何れかにおいて、前記受付手段は、前記依頼ユーザ端末又は前記実行ユーザ端末で使用される言語情報を取得し、前記配信手段は、前記受付手段により取得された前記言語情報に基づき前記共有情報を翻訳する翻訳部を有し、前記翻訳部により翻訳された共有情報を前記依頼ユーザ端末に配信すること、を特徴とする。
【手続補正６】
【補正対象書類名】明細書
【補正対象項目名】００１６
【補正方法】変更
【補正の内容】
【００１６】
第５発明に係る体験共有システムは、第１発明において、前記依頼ユーザ端末から共有情報の取得を行う上での各種指示が含まれる指示情報を前記実行ユーザ端末に送信する指示情報送信手段を更に備え、前記情報取得手段は、前記依頼ユーザ端末の前記指示情報に基づき前記実行ユーザ端末から共有情報を取得すること、を特徴とする。
【手続補正７】
【補正対象書類名】明細書
【補正対象項目名】００１７
【補正方法】変更
【補正の内容】
【００１７】
第６発明に係る体験共有システムは、第５発明において、前記指示情報送信手段は、共有情報の取得を行う上で前記依頼ユーザ端末が直接遠隔操作を行うための各種指示が含まれる指示情報を前記実行ユーザ端末に送信し、前記実行ユーザ端末は、前記指示情報送信手段により送信されてきた指示情報に含まれる指示に基づいて共有情報を得るための操作を制御する操作制御部を有すること、を特徴とする。
【手続補正８】
【補正対象書類名】明細書
【補正対象項目名】００１８
【補正方法】変更
【補正の内容】
【００１８】
第７発明に係る体験共有システムは、第５発明において、前記指示情報送信手段は、前記実行ユーザ端末により前記共有情報を得るための時間帯に関する指示が含まれる指示情報を前記実行ユーザ端末に送信し、前記実行ユーザ端末は、前記指示情報送信手段により送信されてきた指示情報に含まれる時間帯に関する指示に基づいて共有情報を得るための時間帯を制御する時間帯制御部を有すること、を特徴とする。
【手続補正９】
【補正対象書類名】明細書
【補正対象項目名】００１９
【補正方法】変更
【補正の内容】
【００１９】
第８発明に係る体験共有システムは、第５発明において、前記指示情報送信手段は、前記実行ユーザ端末により前記共有情報を得るための位置に関する指示が含まれる指示情報を前記実行ユーザ端末に送信し、前記実行ユーザ端末は、前記指示情報送信手段により送信されてきた指示情報に含まれる位置に関する指示に基づいて共有情報を得るための撮影条件を制御する撮影条件制御部を有すること、を特徴とする。
【手続補正１０】
【補正対象書類名】明細書
【補正対象項目名】００２０
【補正方法】変更
【補正の内容】
【００２０】
第９発明に係る体験共有システムは、第１〜８の何れかの発明において、前記体験共有決定手段は、前記体験を共有する位置及び時間に関する条件が記述された依頼情報と、前記体験の実行が可能な位置及び時間が記述された前記実行情報とが前記受付手段により受け付けた場合には、これらに基づいて前記依頼ユーザ端末と前記実行ユーザ端末とのマッチングを行った上で共有する体験を決定すること、を特徴とする。
【手続補正１１】
【補正対象書類名】明細書
【補正対象項目名】００２１
【補正方法】変更
【補正の内容】
【００２１】
第１０発明に係る体験共有システムは、第５発明において、前記指示情報送信手段は、前記実行ユーザ端末により前記共有情報を得るための時間帯に関する指示、又は前記共有情報を得るための位置に関する指示が含まれる指示情報を前記実行ユーザ端末に送信し、前記指示情報を送信した前記実行ユーザ端末が、前記指示情報に含まれる時間帯又は位置に関する指示に基づく共有情報の取得ができない旨を判断した場合には、当該指示にも基づく共有情報の取得が可能な他の実行ユーザ端末を探索した上でこれに対して前記指示情報を送信すること、を特徴とする。
【手続補正１２】
【補正対象書類名】明細書
【補正対象項目名】００２２
【補正方法】変更
【補正の内容】
【００２２】
第１１発明に係る体験共有システムは、第１〜１０の何れかの発明において、前記情報取得手段により取得された画像を含む共有情報から人物画像、商品画像又は構造物画像を判別する判別手段と、前記判別手段により判別された人物画像、商品画像又は構造物画像をマスキングするか、又は当該画像の領域に代替画像を貼り付ける画像処理手段とを更に備えること、を特徴とする。
【手続補正１３】
【補正対象書類名】明細書
【補正対象項目名】００２３
【補正方法】変更
【補正の内容】
【００２３】
第１２発明に係る体験共有システムは、第１〜１１の何れかの発明において、前記受付手段は、前記依頼に対して支払うべき報酬を含む条件が記述された依頼情報と、前記体験の実行に対して希望する報酬が記述された前記実行情報を受け付け、前記体験共有決定手段は、前記受付手段により受け付けられた前記依頼情報及び前記実行情報のそれぞれに記述された報酬に基づいて、共有する体験を決定し、前記情報取得手段は、前記体験共有決定手段により体験が決定され、前記報酬の支払の決済が行われた後に、前記共有情報を取得することを、特徴とする。
【手続補正１４】
【補正対象書類名】明細書
【補正対象項目名】００２４
【補正方法】変更
【補正の内容】
【００２４】
第１３発明に係る体験共有方法は、ネットワークを介して、通信可能に接続される依頼ユーザ端末及び実行ユーザ端末の間で体験を共有する体験共有方法であって、前記依頼ユーザ端末から体験の依頼に関する依頼情報と、前記実行ユーザ端末から体験の実行に関する実行情報を各々受け付ける受付ステップと、前記受付ステップにより受け付けられた前記依頼情報及び前記実行情報の各々に含まれる位置及び時間の少なくとも何れかを含む情報が一致するか否かに基づいて、前記体験を共有する依頼ユーザ端末及び実行ユーザ端末を決定する体験共有決定ステップと、前記体験共有決定ステップにより決定された前記依頼ユーザ端末及び前記実行ユーザ端末の間において、前記体験で共有するための音声又は画像を含む共有情報を前記実行ユーザ端末から取得し、取得した前記共有情報に基づいて前記共有情報の位置に関する状況情報を取得する情報取得ステップと、前記情報取得ステップにより取得した前記共有情報を、前記実行ユーザ端末における前記共有情報を、前記実行ユーザ端末における前記共有情報の表示と同一の表示となるように前記依頼ユーザ端末にリアルタイムに配信し、前記状況情報を前記実行ユーザ端末のみの表示となるように前記実行ユーザ端末にリアルタイムに配信する配信ステップと、を有することを特徴とする。
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】変更
【補正の内容】
【００３１】
また、第３発明によれば、配信手段は、共有情報の内容に関連する識別情報を依頼ユーザ端末又は実行ユーザ端末に配信する。このため、依頼ユーザ端末又は実行ユーザ端末では共有情報の内容の詳細な情報を確認することができる。これにより、依頼側や実行側が知りえない現地ならではの場所、現地の新しい情報、魅力的な体験等を画像や映像を依頼者に提供することが可能となる。
【手続補正１７】
【補正対象書類名】明細書
【補正対象項目名】００３２
【補正方法】変更
【補正の内容】
【００３２】
また、第４発明によれば、配信手段は、翻訳部を有する。このため、共有情報を翻訳することができる。これにより、翻訳された共有情報を依頼ユーザ端末に配信することができ、遠隔地から現地の体験の共有を、さらに向上させることが可能となる。
【手続補正１８】
【補正対象書類名】明細書
【補正対象項目名】００３３
【補正方法】変更
【補正の内容】
【００３３】
また、第５発明によれば、指示情報送信手段は、共有情報の取得を行う指示情報を実行ユーザ端末に送信する。このため、関連する確認事項、周辺や周囲の状況等までをリアルタイムに確認することができる。これにより、遠隔地から現地の体験の共有を、さらに向上させることが可能となる。
【手続補正１９】
【補正対象書類名】明細書
【補正対象項目名】００３４
【補正方法】変更
【補正の内容】
【００３４】
また、第６発明によれば、操作制御部は、指示情報に含まれる指示に基づいて共有情報を得るための操作を制御する。このため、指示情報を実行ユーザ端末に送信することができる。これにより、関連する確認事項、周辺や周囲の状況等までをリアルタイムに確認することが可能となる。
【手続補正２０】
【補正対象書類名】明細書
【補正対象項目名】００３５
【補正方法】変更
【補正の内容】
【００３５】
また、第７発明によれば、指示情報は、実行ユーザ端末により共有情報を得るための時間帯に関する指示情報を含む。このため、時間帯制御部は、共有情報を得るための時間帯を制御することができる。これにより、共有情報を取得する時間の延長、短縮することが可能となる。
【手続補正２１】
【補正対象書類名】明細書
【補正対象項目名】００３６
【補正方法】変更
【補正の内容】
【００３６】
また、第８発明によれば、指示情報は、実行ユーザ端末により共有情報を得るための位置に関する指示情報を含む。このため、撮影条件制御部は、共有情報を得るための撮影条件を制御することができる。これにより、共有情報の内容に応じた撮影制御画が可能となる。
【手続補正２２】
【補正対象書類名】明細書
【補正対象項目名】００３７
【補正方法】変更
【補正の内容】
【００３７】
また、第９発明によれば、依頼情報は体験を共有する位置及び時間に関する条件の記述を含み、実行情報は体験の実行が可能な位置及び時間の記述を含む。このため、依頼ユーザ端末と前記実行ユーザ端末とのマッチングを行った上で共有する体験を決定することができる。これにより、遠隔地から現地の体験をより正確に共有することが可能となる。
【手続補正２３】
【補正対象書類名】明細書
【補正対象項目名】００３８
【補正方法】変更
【補正の内容】
【００３８】
また、第１０発明によれば、指示情報送信手段は、共有情報の取得ができない旨を判断する。このため、共有情報の取得が可能な他の実行ユーザ端末を探索した上でこれに対して指示情報を送信できる。これにより、遠隔地から現地の体験を継続して共有することが可能となる。
【手続補正２４】
【補正対象書類名】明細書
【補正対象項目名】００３９
【補正方法】変更
【補正の内容】
【００３９】
また、第１１発明によれば、判別手段は、共有情報から人物画像、商品画像又は構造物画像を判別する。このため、画像処理手段は、判別された人物画像、商品画像又は構造物画像をマスキングするか、又は当該画像の領域に代替画像を貼り付けることができる。これにより、遠隔地から現地の体験をプライバシーやセキュリティを考慮し、共有することが可能となる。
【手続補正２５】
【補正対象書類名】明細書
【補正対象項目名】００４０
【補正方法】変更
【補正の内容】
【００４０】
また、第１２発明によれば、受付手段は、報酬を含む条件が記述された依頼情報と、体験の実行に対して希望する報酬が記述された実行情報を受け付ける。このため、報酬に基づいて共有する体験を決定できる。これにより、報酬の支払の決済が行われた後に、遠隔地から現地の体験を共有することが可能となる。
【手続補正２６】
【補正対象書類名】明細書
【補正対象項目名】００４１
【補正方法】変更
【補正の内容】
【００４１】
また、第１３発明によれば、体験共有決定ステップは、依頼情報及び実行情報に基づいて、依頼ユーザ端末及び実行ユーザ端末間で共有する体験を決定する。このため、遠隔地であっても現地の情報を確認できる。これにより、遠隔地から現地の体験を共有することが可能となる。
【手続補正２７】
【補正対象書類名】明細書
【補正対象項目名】００４２
【補正方法】変更
【補正の内容】
【００４２】
また、第１３発明によれば、配信ステップは、取得した共有情報を依頼ユーザ端末に配信する。このため、遠隔地であっても現地の情報を確認できる。これにより、依頼側が知りえない現地ならではの場所、現地の新しい情報、魅力的な体験等を画像や映像を依頼者に提供することができる。
【手続補正２８】
【補正対象書類名】明細書
【補正対象項目名】００６６
【補正方法】変更
【補正の内容】
【００６６】
＜配信部１４＞
配信部１４は、通信網４及びＩ／Ｆ１０７を介して、実行ユーザ端末３から取得した共有情報を、あたかもリアルタイムで見ているように依頼ユーザ端末２に配信する。配信部１４は、情報取得部１３により取得された状態情報に基づいて共有情報の音声又は画像を調整して依頼ユーザ端末２に配信する。